(57)【要約】無線デバイスは、１つ以上のサブフレームにおいてアップリンクリソースを示すダウンリンク制御情報（ＤＣＩ）を受信する。ＤＣＩは、サウンディング参照信号（ＳＲＳ）の伝送のための１つ以上のサブフレームにおけるサブフレームの位置を示すフィールドを備えている。無線デバイスは、そのサブフレーム内でＳＲＳを伝送する。一実装において、ＳＲＳは、そのサブフレームの２つ以上のシンボルの中で伝送される。一実装において、ＳＲＳは、そのサブフレームの最後のシンボルの中で伝送される。
2019515528.tif 000002
【特許請求の範囲】
【請求項１】
方法であって、前記方法は、
無線デバイスによって、認可支援アクセス（ＬＡＡ）セルのための構成パラメータを備えている１つ以上の無線リソース制御（ＲＲＣ）メッセージを受信することであって、前記構成パラメータは、１つ以上のサウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、
前記１つ以上の連続サブフレームの前記数を示す第１のフィールドと、
ＳＲＳの伝送のための前記１つ以上の連続サブフレームの中の第１のサブフレームの位置を示す第２のフィールドと、
トーク前リッスン（ＬＢＴ）構成を示す第３のフィールドと
を備えている、ことと、
前記無線デバイスが、前記ＬＢＴ構成に基づくＬＢＴプロシージャに従って、前記第１のサブフレームにおいて伝送することを可能にされる場合、前記ＬＡＡセル上で、前記第１のサブフレームにおいて、前記ＳＲＳを伝送することと
を含む、方法。
【請求項２】
前記ＳＲＳは、前記第１のサブフレームの２つ以上のシンボルの中で伝送される、請求項１に記載の方法。
【請求項３】
前記１つ以上のＳＲＳパラメータは、非周期的ＳＲＳ構成パラメータを備えている、請求項１に記載の方法。
【請求項４】
前記ＳＲＳは、前記第１のサブフレームの最後のシンボルの中で伝送される、請求項１に記載の方法。
【請求項５】
前記第２のフィールドは、前記１つ以上の連続サブフレームのうちの開始サブフレームからのオフセットを示す、請求項１に記載の方法。
【請求項６】
前記ＤＣＩは、前記１つ以上の連続サブフレームにおけるＳＲＳ伝送がトリガされるかどうかを示す、請求項１に記載の方法。
【請求項７】
前記１つ以上のＳＲＳパラメータは、１つ以上の共通ＳＲＳパラメータと、１つ以上の専用ＳＲＳパラメータとを備えている、請求項１に記載の方法。
【請求項８】
前記第１のサブフレーム内で１つ以上のトランスポートブロックを伝送することをさらに含む、請求項１に記載の方法。
【請求項９】
前記構成パラメータは、ＳＲＳ帯域幅を備えている、請求項１に記載の方法。
【請求項１０】
前記ＤＣＩは、少なくとも部分的に前記ＳＲＳのための伝送電力を計算するために用いられる伝送電力制御（ＴＰＣ）コマンドをさらに備えている、請求項１に記載の方法。
【請求項１１】
無線デバイスであって、前記無線デバイスは、
１つ以上のプロセッサと、
命令を記憶しているメモリと
を備え、
前記命令は、前記１つ以上のプロセッサによって実行されると、
認可支援アクセス（ＬＡＡ）セルのための構成パラメータを備えている１つ以上の無線リソース制御（ＲＲＣ）メッセージを受信することであって、前記構成パラメータは、１つ以上のサウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、
前記１つ以上の連続サブフレームの前記数を示す第１のフィールドと、
ＳＲＳの伝送のための前記１つ以上の連続サブフレームの中の第１のサブフレームの位置を示す第２のフィールドと、
トーク前リッスン（ＬＢＴ）構成を示す第３のフィールドと
を備えている、ことと、
前記無線デバイスが、前記ＬＢＴ構成に基づくＬＢＴプロシージャに従って、前記第１のサブフレームにおいて伝送することを可能にされる場合、前記ＬＡＡセル上で、前記第１のサブフレームにおいて、前記ＳＲＳを伝送することと
を前記無線デバイスに行わせる、無線デバイス。
【請求項１２】
前記ＳＲＳは、前記第１のサブフレームの２つ以上のシンボルの中で伝送される、請求項１１に記載の無線デバイス。
【請求項１３】
前記１つ以上のＳＲＳパラメータは、非周期的ＳＲＳ構成パラメータを備えている、請求項１１に記載の無線デバイス。
【請求項１４】
前記ＳＲＳは、前記第１のサブフレームの最後のシンボルの中で伝送される、請求項１１に記載の無線デバイス。
【請求項１５】
前記第２のフィールドは、前記１つ以上の連続サブフレームのうちの開始サブフレームからのオフセットを示す、請求項１１に記載の無線デバイス。
【請求項１６】
前記ＤＣＩは、前記１つ以上の連続サブフレームにおけるＳＲＳ伝送がトリガされるかどうかを示す、請求項１１に記載の無線デバイス。
【請求項１７】
前記少なくとも１つのＳＲＳ構成パラメータは、１つ以上の共通ＳＲＳパラメータと、１つ以上の専用ＳＲＳパラメータとを備えている、請求項１１に記載の無線デバイス。
【請求項１８】
前記命令は、前記１つ以上のプロセッサによって実行されると、前記第１のサブフレームにおける１つ以上のトランスポートブロックを伝送することを前記無線デバイスにさらに行わせる、請求項１１に記載の無線デバイス。
【請求項１９】
前記構成パラメータは、ＳＲＳ帯域幅を備えている、請求項１１に記載の無線デバイス。
【請求項２０】
前記ＤＣＩは、少なくとも部分的に前記ＳＲＳのための伝送電力を計算するために用いられる伝送電力制御（ＴＰＣ）コマンドをさらに備えている、請求項１１に記載の無線デバイス。
【請求項２１】
方法であって、前記方法は、
基地局によって、認可支援アクセス（ＬＡＡ）セルの１つ以上の連続サブフレームの数でアップリンクリソースを示すダウンリンク制御情報（ＤＣＩ）を伝送することであって、前記ＤＣＩは、
前記１つ以上の連続サブフレームの前記数を示す第１のフィールドと、
サウンディング参照信号（ＳＲＳ）の伝送のための前記１つ以上の連続サブフレームの中の第１のサブフレームの位置を示す第２のフィールドと
を備えている、ことと、
前記基地局によって、前記第１のサブフレームにおいて、前記ＬＡＡセル上の前記ＳＲＳを受信することと
を含む、方法。
【請求項２２】
前記ＳＲＳは、前記第１のサブフレームの２つ以上のシンボルの中で受信される、請求項２１に記載の方法。
【請求項２３】
認可支援アクセス（ＬＡＡ）セルのための構成パラメータを備えている１つ以上の無線リソース制御（ＲＲＣ）メッセージを伝送することをさらに含み、前記構成パラメータは、１つ以上のＳＲＳパラメータを備え、前記１つ以上のＳＲＳパラメータは、非周期的ＳＲＳ構成パラメータを備えている、請求項２１に記載の方法。
【請求項２４】
前記１つ以上のＳＲＳパラメータは、１つ以上の共通ＳＲＳパラメータと、１つ以上の専用ＳＲＳパラメータとを備えている、請求項２３に記載の方法。
【請求項２５】
前記ＳＲＳは、前記第１のサブフレームの最後のシンボルの中で受信される、請求項２１に記載の方法。
【請求項２６】
前記第２のフィールドは、前記１つ以上の連続サブフレームのうちの開始サブフレームからのオフセットを示す、請求項２１に記載の方法。
【請求項２７】
前記ＤＣＩは、前記１つ以上の連続サブフレームにおけるＳＲＳ伝送がトリガされるかどうかを示す、請求項２１に記載の方法。
【請求項２８】
前記第１のサブフレームにおいて１つ以上のトランスポートブロックを受信することをさらに含む、請求項２１に記載の方法。
【請求項２９】
前記構成パラメータは、ＳＲＳ帯域幅を備えている、請求項２１に記載の方法。
【請求項３０】
前記ＤＣＩは、少なくとも部分的に前記ＳＲＳのための伝送電力を計算するために用いられる伝送電力制御（ＴＰＣ）コマンドをさらに備えている、請求項２１に記載の方法。
【請求項３１】
基地局であって、前記基地局は、
１つ以上のプロセッサと、
命令を記憶しているメモリと
を備え、
前記命令は、前記１つ以上のプロセッサによって実行されると、
認可支援アクセス（ＬＡＡ）セルの１つ以上の連続サブフレームの数でアップリンクリソースを示すダウンリンク制御情報（ＤＣＩ）を伝送することであって、前記ＤＣＩは、
前記１つ以上の連続サブフレームの前記数を示す第１のフィールドと、
サウンディング参照信号（ＳＲＳ）の伝送のための前記１つ以上の連続サブフレームの中の第１のサブフレームの位置を示す第２のフィールドと
を備えている、ことと、
前記第１のサブフレームにおいて、前記ＬＡＡセル上の前記ＳＲＳを受信することと
を前記基地局に行わせる、基地局。
【請求項３２】
前記ＳＲＳは、前記第１のサブフレームの２つ以上のシンボルの中で受信される、請求項３１に記載の基地局。
【請求項３３】
前記命令は、前記１つ以上のプロセッサによって実行されると、認可支援アクセス（ＬＡＡ）セルのための構成パラメータを備えている１つ以上の無線リソース制御（ＲＲＣ）メッセージを伝送することを前記基地局にさらに行わせ、前記構成パラメータは、１つ以上のＳＲＳパラメータを備え、前記１つ以上のＳＲＳパラメータは、非周期的ＳＲＳ構成パラメータを備えている、請求項３１に記載の基地局。
【請求項３４】
前記１つ以上のＳＲＳパラメータは、１つ以上の共通ＳＲＳパラメータと、１つ以上の専用ＳＲＳパラメータとを備えている、請求項３３に記載の基地局。
【請求項３５】
前記ＳＲＳは、前記第１のサブフレームの最後のシンボルの中で受信される、請求項３１に記載の基地局。
【請求項３６】
前記第２のフィールドは、前記１つ以上の連続サブフレームのうちの開始サブフレームからのオフセットを示す、請求項３１に記載の基地局。
【請求項３７】
前記ＤＣＩは、前記１つ以上の連続サブフレームにおけるＳＲＳ伝送がトリガされるかどうかを示す、請求項３１に記載の基地局。
【請求項３８】
前記命令は、前記１つ以上のプロセッサによって実行されると、前記第１のサブフレームにおいて１つ以上のトランスポートブロックを受信することを前記基地局にさらに行わせる、請求項３１に記載の基地局。
【請求項３９】
前記構成パラメータは、ＳＲＳ帯域幅を備えている、請求項３１に記載の基地局。
【請求項４０】
前記ＤＣＩは、少なくとも部分的に前記ＳＲＳのための伝送電力を計算するために用いられる伝送電力制御（ＴＰＣ）コマンドをさらに備えている、請求項３１に記載の基地局。
【請求項４１】
方法であって、前記方法は、
１つ以上のサブフレームにおけるアップリンクリソースを示すダウンリンク制御情報（ＤＣＩ）を受信することであって、前記ＤＣＩは、サウンディング参照信号（ＳＲＳ）の伝送のための前記１つ以上のサブフレームにおけるサブフレームの位置を示すフィールドを備えている、ことと
前記サブフレーム内で前記ＳＲＳを伝送することと
を含む、方法。
【請求項４２】
前記ＤＣＩは、サウンディング参照信号（ＳＲＳ）伝送をトリガする、請求項４１に記載の方法。
【請求項４３】
アップリンクリソースは、リソースブロックを単位とする、請求項４１に記載の方法。
【請求項４４】
前記ＤＣＩは、前記１つ以上のサブフレームの数を示す第２のフィールドを備えている、請求項４１に記載の方法。
【請求項４５】
前記ＳＲＳは、前記サブフレームの２つ以上のシンボルの中で伝送される、請求項４１に記載の方法。
【請求項４６】
前記ＳＲＳは、前記サブフレームの最後のシンボルの中で伝送される、請求項４１に記載の方法。
【請求項４７】
前記フィールドは、前記１つ以上の連続サブフレームのうちの開始サブフレームからのオフセットを示す、請求項４１に記載の方法。
【請求項４８】
前記ＤＣＩは、前記１つ以上の連続サブフレームにおけるＳＲＳ伝送がトリガされるかどうかを示す、請求項４１に記載の方法。
【請求項４９】
前記サブフレームにおいて１つ以上のトランスポートブロックを伝送することをさらに含む、請求項４１に記載の方法。
【請求項５０】
前記構成パラメータは、ＳＲＳ帯域幅を備えている、請求項４１に記載の方法。
【請求項５１】
方法であって、前記方法は、
１つ以上のサブフレームにおけるアップリンクリソースを示すダウンリンク制御情報（ＤＣＩ）を伝送することであって、前記ＤＣＩは、サウンディング参照信号（ＳＲＳ）の伝送のための前記１つ以上のサブフレームにおけるサブフレームの位置を示すフィールドを備えている、ことと、
前記サブフレーム内で前記ＳＲＳを受信することと
を含む、方法。
【請求項５２】
前記ＤＣＩは、サウンディング参照信号（ＳＲＳ）伝送をトリガする、請求項５１に記載の方法。
【請求項５３】
アップリンクリソースは、リソースブロックを単位とする、請求項２２に記載の方法。
【請求項５４】
前記ＤＣＩは、前記１つ以上のサブフレームの数を示す第２のフィールドを備えている、請求項２２に記載の方法。
【請求項５５】
前記ＳＲＳは、前記サブフレームの２つ以上のシンボルの中で伝送される、請求項１に記載の方法。
【請求項５６】
前記ＳＲＳは、前記サブフレームの最後のシンボルの中で伝送される、請求項１に記載の方法。
【請求項５７】
前記フィールドは、前記１つ以上の連続サブフレームのうちの開始サブフレームからのオフセットを示す、請求項１に記載の方法。
【請求項５８】
前記ＤＣＩは、前記１つ以上の連続サブフレームにおけるＳＲＳ伝送がトリガされるかどうかを示す、請求項１に記載の方法。
【請求項５９】
前記サブフレームにおいて１つ以上のトランスポートブロックを受信することをさらに含む、請求項１に記載の方法。
【請求項６０】
前記ＳＲＳは、前記第１のサブフレームの最後のシンボルの中で受信される、請求項１に記載の方法。
【請求項６１】
方法であって、前記方法は、
無線デバイスによって、認可支援アクセス（ＬＡＡ）セルのための構成パラメータを備えている１つ以上の無線リソース制御（ＲＲＣ）メッセージを受信することであって、前記構成パラメータは、非周期的サウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、ＳＲＳ伝送をトリガし、前記ＤＣＩは、
前記１つ以上の連続サブフレームの前記数と、
トーク前リッスン（ＬＢＴ）構成と
を備えている、ことと、
少なくとも部分的に前記非周期的ＳＲＳサブフレームパラメータに基づいて、前記１つ以上の連続サブフレームの中の第１のサブフレームの位置を決定することと、
前記無線デバイスが、前記ＬＢＴ構成に基づくＬＢＴプロシージャに従って、前記第１のサブフレームにおいて伝送することを可能にされる場合、前記第１のサブフレームにおいて、前記ＬＡＡセル上で前記ＳＲＳを伝送することと
を含む、方法。
【請求項６２】
前記ＳＲＳは、前記第１のサブフレームの２つ以上のシンボルの中で伝送される、請求項６１に記載の方法。
【請求項６３】
前記ＤＣＩは、前記ＳＲＳ伝送がトリガされるかどうかを示すフィールドをさらに備えている、請求項６１に記載の方法。
【請求項６４】
前記ＳＲＳは、前記第１のサブフレームの最後のシンボルの中で伝送される、請求項６１に記載の方法。
【請求項６５】
前記非周期的ＳＲＳサブフレームパラメータは、前記１つ以上の連続サブフレームのうちの開始サブフレームからのオフセットを示す、請求項６１に記載の方法。
【請求項６６】
前記ＬＢＴ構成は、前記ＬＢＴプロシージャのために用いられるシンボル時間間隔を示す、請求項６１に記載の方法。
【請求項６７】
前記構成パラメータは、１つ以上の共通ＳＲＳパラメータと、１つ以上の専用ＳＲＳパラメータとを備えている、請求項６１に記載の方法。
【請求項６８】
前記第１のサブフレームにおいて１つ以上のトランスポートブロックを伝送することをさらに含む、請求項６１に記載の方法。
【請求項６９】
前記構成パラメータは、ＳＲＳ帯域幅を備えている、請求項６１に記載の方法。
【請求項７０】
前記ＤＣＩは、少なくとも部分的に前記ＳＲＳのための伝送電力を計算するために用いられる伝送電力制御（ＴＰＣ）コマンドをさらに備えている、請求項６１に記載の方法。
【請求項７１】
無線デバイスであって、前記無線デバイスは、
１つ以上のプロセッサと、
命令を記憶しているメモリと
を備え、
前記命令は、前記１つ以上のプロセッサによって実行されると、
認可支援アクセス（ＬＡＡ）セルのための構成パラメータを備えている１つ以上の無線リソース制御（ＲＲＣ）メッセージを受信することであって、前記構成パラメータは、非周期的サウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、ＳＲＳ伝送をトリガし、前記ＤＣＩは、
前記１つ以上の連続サブフレームの前記数と、
トーク前リッスン（ＬＢＴ）構成と
を備えている、ことと、
少なくとも部分的に前記非周期的ＳＲＳサブフレームパラメータに基づいて、前記１つ以上の連続サブフレームの中の第１のサブフレームの位置を決定することと、
前記無線デバイスが、前記ＬＢＴ構成に基づくＬＢＴプロシージャに従って、前記第１のサブフレームにおいて伝送することを可能にされる場合、前記第１のサブフレームにおいて、前記ＬＡＡセル上で前記ＳＲＳを伝送することと
を前記無線デバイスにおこなわせる、無線デバイス。
【請求項７２】
前記ＳＲＳは、前記第１のサブフレームの２つ以上のシンボルの中で伝送される、請求項７１に記載の無線デバイス。
【請求項７３】
前記ＤＣＩは、前記ＳＲＳ伝送がトリガされるかどうかを示すフィールドをさらに備えている、請求項７１に記載の無線デバイス。
【請求項７４】
前記ＳＲＳは、前記第１のサブフレームの最後のシンボルの中で伝送される、請求項７１に記載の無線デバイス。
【請求項７５】
前記非周期的ＳＲＳサブフレームパラメータは、前記１つ以上の連続サブフレームのうちの開始サブフレームからのオフセットを示す、請求項７１に記載の無線デバイス。
【請求項７６】
前記構成パラメータは、１つ以上の共通ＳＲＳパラメータと、１つ以上の専用ＳＲＳパラメータとを備えている、請求項７１に記載の無線デバイス。
【請求項７７】
前記構成パラメータは、ＳＲＳ帯域幅を備えている、請求項７１に記載の無線デバイス。
【請求項７８】
前記ＤＣＩは、少なくとも部分的に前記ＳＲＳのための伝送電力を計算するために用いられる伝送電力制御（ＴＰＣ）コマンドをさらに備えている、請求項７１に記載の無線デバイス。
【請求項７９】
方法であって、前記方法は、
基地局によって、認可支援アクセス（ＬＡＡ）セルのための構成パラメータを備えている１つ以上の無線リソース制御（ＲＲＣ）メッセージを伝送することであって、前記構成パラメータは、非周期的サウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を伝送することであって、前記ＤＣＩは、ＳＲＳ伝送をトリガし、前記ＤＣＩは、前記１つ以上の連続サブフレームの数を示すフィールドを備えている、ことと、
前記第１のサブフレームにおいて、前記ＬＡＡセル上の前記ＳＲＳを受信することであって、前記１つ以上のサブフレームにおける第１のサブフレームの位置は、少なくとも前記非周期的ＳＲＳサブフレームパラメータの値に依存する、ことと
を含む、方法。
【請求項８０】
前記ＤＣＩは、少なくとも部分的に前記ＳＲＳのための伝送電力を計算するために用いられる伝送電力制御（ＴＰＣ）コマンドをさらに備えている、請求項７９に記載の方法。
【請求項８１】
方法であって、前記方法は、
非周期的サウンディング参照信号（ＳＲＳ）サブフレームパラメータを備えている無線リソース制御（ＲＲＣ）メッセージを受信することと、
ＳＲＳ伝送をトリガするダウンリンク制御情報（ＤＣＩ）を受信することであって、前記ＤＣＩは、１つ以上のサブフレームにおけるアップリンクリソースを示す、ことと、
少なくとも部分的に前記非周期的ＳＲＳサブフレームパラメータに基づいて、前記１つ以上のサブフレームにおけるあるサブフレームの位置を決定することと、
そのサブフレーム内で前記ＳＲＳを伝送することと
を含む、方法。
【請求項８２】
前記ＲＲＣメッセージは、認可支援アクセス（ＬＡＡ）セルのための構成パラメータを備えている、請求項８１に記載の方法。
【請求項８３】
前記ＤＣＩは、前記１つ以上のサブフレームの数を示すフィールドを備えている、請求項８１に記載の方法。
【請求項８３】
前記ＳＲＳは、前記第１のサブフレームの２つ以上のシンボルの中で伝送される、請求項８１に記載の方法。
【請求項８４】
前記ＳＲＳは、前記第１のサブフレームの最後のシンボルの中で伝送される、請求項８１に記載の方法。
【請求項８５】
前記非周期的ＳＲＳサブフレームパラメータは、前記１つ以上の連続サブフレームのうちの開始サブフレームからのオフセットを示す、請求項８１に記載の方法。
【請求項８６】
前記サブフレームにおいて１つ以上のトランスポートブロックを伝送することをさらに含む、請求項８１に記載の方法。
【請求項８７】
前記構成パラメータは、ＳＲＳ帯域幅を備えている、請求項８１に記載の方法。
【請求項８８】
方法であって、前記方法は、
非周期的サウンディング参照信号（ＳＲＳ）サブフレームパラメータを備えている無線リソース制御（ＲＲＣ）メッセージを伝送することと、
ＳＲＳ伝送をトリガするダウンリンク制御情報（ＤＣＩ）を伝送することであって、前記ＤＣＩは、１つ以上のサブフレームにおけるアップリンクリソースを示す、ことと、
少なくとも部分的に前記非周期的ＳＲＳサブフレームパラメータに基づいて、前記１つ以上のサブフレームにおけるあるサブフレームの位置を決定することと、
そのサブフレーム内で前記ＳＲＳを受信することと
を含む、方法。
【請求項８９】
前記ＲＲＣメッセージは、認可支援アクセス（ＬＡＡ）セルのための構成パラメータを備えている、請求項８８に記載の方法。
【請求項９０】
前記ＤＣＩは、前記１つ以上のサブフレームの数を示すフィールドを備えている、請求項８８に記載の方法。
【請求項９１】
前記ＳＲＳは、前記第１のサブフレームの２つ以上のシンボルの中で伝送される、請求項８８に記載の方法。
【請求項９２】
前記ＳＲＳは、前記第１のサブフレームの最後のシンボルの中で伝送される、請求項８８に記載の方法。
【請求項９３】
前記非周期的ＳＲＳサブフレームパラメータは、前記１つ以上の連続サブフレームのうちの開始サブフレームからのオフセットを示す、請求項８８に記載の方法。
【請求項９４】
前記サブフレームにおいて１つ以上のトランスポートブロックを伝送することをさらに含む、請求項８８に記載の方法。
【請求項９５】
前記構成パラメータは、ＳＲＳ帯域幅を備えている、請求項８８に記載の方法。
【請求項９６】
方法であって、前記方法は、
非周期的サウンディング参照信号（ＳＲＳ）サブフレームパラメータを備えている無線リソース制御（ＲＲＣ）メッセージを受信することと、
ＳＲＳ伝送をトリガするダウンリンク制御情報（ＤＣＩ）を受信することであって、前記ＤＣＩは、１つ以上のサブフレームにおけるアップリンクリソースを示す、ことと、
サブフレーム内で前記ＳＲＳを伝送することであって、前記１つ以上のサブフレームにおける前記サブフレームの位置は、少なくとも部分的に前記非周期的ＳＲＳサブフレームパラメータに基づく、ことと
を含む、方法。
【請求項９７】
方法であって、前記方法は、
非周期的サウンディング参照信号（ＳＲＳ）サブフレームパラメータを備えている無線リソース制御（ＲＲＣ）メッセージを伝送することと、
ＳＲＳ伝送をトリガするダウンリンク制御情報（ＤＣＩ）を伝送することであって、前記ＤＣＩは、１つ以上のサブフレームにおけるアップリンクリソースを示す、ことと、
サブフレーム内で前記ＳＲＳを受信し、少なくとも部分的に前記非周期的ＳＲＳサブフレームパラメータに基づいて、前記１つ以上のサブフレームにおける前記サブフレームの位置を決定することと
を含む、方法。
【発明の詳細な説明】
【技術分野】
【０００１】
（関連出願の引用）
本願は、米国仮出願第６２／３１４，６７６号（２０１６年３月２９日出願）の利益を主張し、上記出願は、その全体が参照により本明細書に引用される。
【発明の概要】
【発明が解決しようとする課題】
【０００２】
本発明の例示的実施形態は、キャリアアグリゲーションの動作を可能にする。本明細書に開示される技術の実施形態は、マルチキャリア通信システムの技術分野において用いられ得る。
【０００３】
以下の略語は、本開示の全体を通して使用される。
ＡＳＩＣ  特定用途向け集積回路
ＢＰＳＫ  二位相偏移変調
ＣＡ  キャリアアグリゲーション
ＣＳＩ  チャネル状態情報
ＣＤＭＡ  符号分割多重アクセス
ＣＳＳ  共通検索空間
ＣＰＬＤ  複合プログラマブル論理デバイス
ＣＣ  コンポーネントキャリア
ＤＬ  ダウンリンク
ＤＣＩ  ダウンリンク制御情報
ＤＣ  デュアルコネクティビティ
ＥＰＣ  進化型パケットコア
Ｅ−ＵＴＲＡＮ  進化型ユニバーサル地上無線アクセスネットワーク
ＦＰＧＡ  フィールドプログラマブルゲートアレイ
ＦＤＤ  周波数分割多重化
ＨＤＬ  ハードウェア記述言語
ＨＡＲＱ  ハイブリッド自動反復要求
ＩＥ  情報要素
ＬＡＡ  認可支援アクセス
ＬＴＥ  ロングタームエボリューション
ＭＣＧ  マスタセルグループ
ＭｅＮＢ  マスタ進化型ノードＢ
ＭＩＢ  マスタ情報ブロック
ＭＡＣ  媒体アクセス制御
ＭＡＣ  媒体アクセス制御
ＭＭＥ  モビリティ管理エンティティ
ＮＡＳ  非アクセス層
ＯＦＤＭ  直交周波数分割多重化
ＰＤＣＰ  パケットデータ収束プロトコル
ＰＤＵ  パケットデータユニット
ＰＨＹ  物理
ＰＤＣＣＨ  物理ダウンリンク制御チャネル
ＰＨＩＣＨ  物理ＨＡＲＱインジケータチャネル
ＰＵＣＣＨ  物理アップリンク制御チャネル
ＰＵＳＣＨ  物理アップリンク共有チャネル
Ｐセル  一次セル
Ｐセル  一次セル
ＰＣＣ  一次コンポーネントキャリア
ＰＳセル  一次二次セル
ｐＴＡＧ  一次タイミングアドバンスグループ
ＱＡＭ  直交振幅変調
ＱＰＳＫ  直交位相偏移変調
ＲＢＧ  リソースブロックグループ
ＲＬＣ  無線リンク制御
ＲＲＣ  無線リソース制御
ＲＡ  ランダムアクセス
ＲＢ  リソースブロック
ＳＣＣ  二次コンポーネントキャリア
Ｓセル  二次セル
Ｓセル  二次セル
ＳＣＧ  二次セルグループ
ＳｅＮＢ  二次進化型ノードＢ
ｓＴＡＧｓ  二次タイミングアドバンスグループ
ＳＤＵ  サービスデータユニット
Ｓ−ＧＷ  サービングゲートウェイ
ＳＲＢ  シグナリング無線ベアラ
ＳＣ−ＯＦＤＭ  単一キャリアＯＦＤＭ
ＳＦＮ  システムフレーム数
ＳＩＢ  システム情報ブロック
ＴＡＩ  追跡エリア識別子
ＴＡＴ  時間合わせタイマ
ＴＤＤ  時分割複信
ＴＤＭＡ  時分割多重アクセス
ＴＡ  タイミングアドバンス
ＴＡＧ  タイミングアドバンスグループ
ＴＢ  トランスポートブロック
ＵＬ  アップリンク
ＵＥ  ユーザ機器
ＶＨＤＬ  ＶＨＳＩＣハードウェア記述言語
【０００４】
本開示の例示的実施形態は、種々の物理層変調および伝送機構を使用して実装され得る。例示的伝送機構は、ＣＤＭＡ、ＯＦＤＭ、ＴＤＭＡ、ウェーブレット技術等を含み得るが、それらに限定されない。ＴＤＭＡ／ＣＤＭＡおよびＯＦＤＭ／ＣＤＭＡ等のハイブリッド伝送機構も、用いられ得る。種々の変調スキームが、物理層における信号伝送のために適用され得る。変調スキームの例は、位相、振幅、コード、これらの組み合わせ等を含み得るが、それらに限定されない。例示的無線伝送方法は、ＢＰＳＫ、ＱＰＳＫ、１６−ＱＡＭ、６４−ＱＡＭ、２５６−ＱＡＭ等を使用して、ＱＡＭを実装し得る。物理無線伝送は、伝送要件および無線条件に応じて変調およびコーディングスキームを動的または半動的に変化させることによって、強化され得る。
【図面の簡単な説明】
【０００５】
本開示の種々の実施形態のうちのいくつかの例が、図面を参照して本明細書に説明される。
【図１】図１は、本開示の実施形態のある側面による、ＯＦＤＭサブキャリアの例示的組を描写する略図である。
【図２】図２は、本開示の実施形態のある側面による、キャリアグループ内の２つのキャリアに関する例示的伝送時間および受信時間を描写する略図である。
【図３】図３は、本開示の実施形態のある側面による、ＯＦＤＭ無線リソースを描写する例示的略図である。
【図４】図４は、本開示の実施形態のある側面による、基地局および無線デバイスの例示的ブロック図である。
【図５】図５Ａ、図５Ｂ、図５Ｃ、および図５Ｄは、本開示の実施形態のある側面による、アップリンクおよびダウンリンク信号伝送に関する例示的略図である。
【図６】図６は、本開示の実施形態のある側面による、ＣＡおよびＤＣを用いたプロトコル構造に関する例示的略図である。
【図７】図７は、本開示の実施形態のある側面による、ＣＡおよびＤＣを用いたプロトコル構造に関する例示的略図である。
【図８】図８は、本開示の実施形態のある側面による、例示的ＴＡＧ構成を示す。
【図９】図９は、本開示の実施形態のある側面による、二次ＴＡＧ内のランダムアクセスプロセスにおける例示的メッセージフローである。
【図１０】図１０は、本開示の実施形態のある側面による、ダウンリンクバーストを描写する例示的略図である。
【図１１】図１１は、本開示の実施形態のある側面による、複数のセルを描写する例示的略図である。
【図１２】図１２は、本開示の実施形態のある側面による、トーク前リッスンプロシージャを描写する例示的略図である。
【図１３】図１３Ａおよび図１３Ｂは、本開示の実施形態のある側面による、複数のセルを描写する例示的略図である。
【図１４】図１４は、本開示の実施形態のある側面による、ＨＡＲＱを使用するトランスポートブロック伝送を描写する例示的略図である。
【図１５】図１５は、本開示の実施形態のある側面による、例示的ＤＣＩフィールドを描写する例示的略図である。
【図１６】図１６は、本開示の実施形態のある側面による、例示的ＤＣＩフィールドである。
【図１７】図１７は、本開示の実施形態のある側面を図示する、例示的フロー図である。
【図１８】図１８は、本開示の実施形態のある側面を図示する、例示的フロー図である。
【図１９】図１９は、本開示の実施形態のある側面を図示する、例示的フロー図である。
【図２０】図２０は、本開示の実施形態のある側面を例証するフロー図である。
【図２１】図２１は、本開示の実施形態のある側面を例証するフロー図である。
【図２２】図２２は、本開示の実施形態のある側面を例証するフロー図である。
【図２３】図２３は、本開示の実施形態のある側面を例証するフロー図である。
【発明を実施するための形態】
【０００６】
図１は、本開示の実施形態のある側面による、ＯＦＤＭサブキャリアの例示的組を描写する略図である。この例に図示されるように、略図内の矢印は、マルチキャリアＯＦＤＭシステムにおけるサブキャリアを描写し得る。ＯＦＤＭシステムは、ＯＦＤＭ技術、ＤＦＴＳ−ＯＦＤＭ、ＳＣ−ＯＦＤＭ技術等の技術を使用し得る。例えば、矢印１０１は、サブキャリア伝送情報シンボルを示す。図１は、例証目的のためのものであり、典型的マルチキャリアＯＦＤＭシステムは、キャリア内により多くのサブキャリアを含み得る。例えば、キャリア内のサブキャリアの数は、１０〜１０，０００サブキャリアの範囲であり得る。図１は、伝送バンド内の２つのガードバンド１０６および１０７を示す。図１に図示されるように、ガードバンド１０６は、サブキャリア１０３とサブキャリア１０４との間にある。サブキャリアの例示的組Ａ  １０２は、サブキャリア１０３と、サブキャリア１０４とを含む。図１はまた、サブキャリアの例示的組Ｂ  １０５も図示する。図示されるように、サブキャリア例示的組Ｂ  １０５の内に、任意の２つのサブキャリアの間にガードバンドが存在しない。マルチキャリアＯＦＤＭ通信システムにおけるキャリアは、連続的キャリア、非連続的キャリア、または連続的および非連続的キャリア両方の組み合わせであり得る。
【０００７】
図２は、本開示の実施形態のある側面による、２つのキャリアのための例示的伝送時間および受信時間を描写する略図である。マルチキャリアＯＦＤＭ通信システムは、例えば、１〜１０個のキャリアに及ぶ１つ以上のキャリアを含み得る。キャリアＡ  ２０４およびキャリアＢ  ２０５は、同一または異なるタイミング構造を有し得る。図２は、２つの同期させられたキャリアを示すが、キャリアＡ  ２０４およびキャリアＢ  ２０５は、互いに同期させられることも、同期させられないこともある。異なる無線フレーム構造が、ＦＤＤおよびＴＤＤ複信機構のためにサポートされ得る。図２は、例示的ＦＤＤフレームタイミングを示す。ダウンリンクおよびアップリンク伝送は、無線フレーム２０１の中に編成され得る。この例では、無線フレーム持続時間は、１０ミリ秒である。例えば、１〜１００ミリ秒の範囲の他のフレーム持続時間も、サポートされ得る。この例では、各１０ミリ秒無線フレーム２０１は、１０個の等しいサイズのサブフレーム２０２に分割され得る。０．５ミリ秒、１ミリ秒、２ミリ秒、および５ミリ秒等の他のサブフレーム持続時間も、サポートされ得る。サブフレームは、２つ以上のスロット（例えば、スロット２０６および２０７）から成り得る。ＦＤＤの例に対して、各１０ミリ秒間隔において、１０個のサブフレームが、ダウンリンク伝送のために利用可能であり得、１０個のサブフレームが、アップリンク伝送のために利用可能であり得る。アップリンクおよびダウンリンク伝送は、周波数ドメイン内で分離され得る。スロットは、複数のＯＦＤＭシンボル２０３を含み得る。スロット２０６内のＯＦＤＭシンボル２０３の数は、サイクリックプレフィックス長およびサブキャリア間隔に依存し得る。
【０００８】
図３は、本開示の実施形態のある側面による、ＯＦＤＭ無線リソースを描写する略図である。時間３０４および周波数３０５におけるリソースグリッド構造が、図３に図示されている。ダウンリンクサブキャリアまたはＲＢの数量（この例では、６〜１００ＲＢ）は、少なくとも部分的に、セル内で構成されたダウンリンク伝送帯域幅３０６に依存し得る。最小無線リソースユニットは、リソース要素（例えば、３０１）と呼ばれ得る。リソース要素は、リソースブロック（例えば、３０２）にグループ化され得る。リソースブロックは、リソースブロックグループ（ＲＢＧ）（例えば、３０３）と呼ばれるより大きい無線リソースにグループ化され得る。スロット２０６内の伝送される信号は、複数のサブキャリアおよび複数のＯＦＤＭシンボルの１つまたはいくつかのリソースグリッドによって記述され得る。リソースブロックは、リソース要素へのある物理チャネルのマッピングを記述するために使用され得る。物理リソース要素の他の事前に定義されたグループ化も、無線技術に応じて、システムにおいて実装され得る。例えば、２４のサブキャリアが、５ミリ秒の持続時間にわたって無線ブロックとしてグループ化され得る。例証的例では、リソースブロックは、時間ドメイン内の１つのスロットおよび周波数ドメイン内の１８０ｋＨｚに対応し得る（１５ＫＨｚサブキャリア帯域幅および１２のサブキャリアに対して）。
【０００９】
図５Ａ、図５Ｂ、図５Ｃ、および図５Ｄは、本開示の実施形態のある側面による、アップリンクおよびダウンリンク信号伝送のための例示的略図である。図５Ａは、例示的アップリンク物理チャネルを示す。物理アップリンク共有チャネルを表すベースバンド信号は、以下のプロセスを実施し得る。これらの機能は、例として図示され、種々の実施形態では、他の機構が実装され得ることが予期される。機能は、スクランブリング、複素数値シンボルを生成するためのスクランブリングされたビットの変調、１つまたはいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、各アンテナポートのための複素数値時間ドメインＤＦＴＳ−ＯＦＤＭ／ＳＣ−ＦＤＭＡ信号の生成等を含み得る。
【００１０】
各アンテナポートのための複素数値ＤＦＴＳ−ＯＦＤＭ／ＳＣ−ＦＤＭＡベースバンド信号および／または複素数値ＰＲＡＣＨベースバンド信号のキャリア周波数への例示的変調ならびに上方変換が、図５Ｂに示されている。フィルタリングが、伝送に先立って用いられ得る。
【００１１】
ダウンリンク伝送のための例示的構造が、図５Ｃに示されている。ダウンリンク物理チャネルを表すベースバンド信号は、以下のプロセスを実施し得る。これらの機能は、例として図示され、種々の実施形態では、他の機構が実装され得ることが予期される。機能は、物理チャネル上で伝送されるべきコードワードの各々におけるコード化されたビットのスクランブリング、複素数値変調シンボルを生成するためのスクランブリングされたビットの変調、１つまたはいくつかの伝送層上への複素数値変調シンボルのマッピング、アンテナポート上での伝送のための各層上での複素数値変調シンボルのプリコーディング、リソース要素への各アンテナポートのための複素数値変調シンボルのマッピング、各アンテナポートのための複素数値時間ドメインＯＦＤＭ信号の生成等を含む。
【００１２】
各アンテナポートのための複素数値ＯＦＤＭベースバンド信号のキャリア周波数への例示的変調および上方変換が、図５Ｄに示されている。フィルタリングが、伝送に先立って用いられ得る。
【００１３】
図４は、本開示の実施形態のある側面による、基地局４０１および無線デバイス４０６の例示的ブロック図である。通信ネットワーク４００は、少なくとも１つの基地局４０１と、少なくとも１つの無線デバイス４０６とを含み得る。基地局４０１は、少なくとも１つの通信インターフェース４０２と、少なくとも１つのプロセッサ４０３と、非一過性のメモリ４０４の中に記憶され、少なくとも１つのプロセッサ４０３によって実行可能であるプログラムコード命令４０５の少なくとも１つの組とを含み得る。無線デバイス４０６は、少なくとも１つの通信インターフェース４０７と、少なくとも１つのプロセッサ４０８と、非一過性のメモリ４０９の中に記憶され、少なくとも１つのプロセッサ４０８によって実行可能であるプログラムコード命令４１０の少なくとも１つの組とを含み得る。基地局４０１内の通信インターフェース４０２は、少なくとも１つの無線リンク４１１を含む通信経路を介して、無線デバイス４０６内の通信インターフェース４０７との通信に従事するように構成され得る。無線リンク４１１は、双方向リンクであり得る。無線デバイス４０６内の通信インターフェース４０７も、基地局４０１内の通信インターフェース４０２との通信に従事するように構成され得る。基地局４０１および無線デバイス４０６は、複数の周波数キャリアを使用して、無線リンク４１１を経由してデータを送受信するように構成され得る。実施形態の側面によると、送受信機が用いられ得る。送受信機は、送信機および受信機を両方とも含むデバイスである。送受信機は、無線デバイス等のデバイス、基地局、中継ノードにおいて用いられ得る。通信インターフェース４０２、４０７および無線リンク４１１において実装される無線技術のための例示的実施形態は、図１、図２、図３、図５、および関連付けられた文書に図示されている。
【００１４】
インターフェースは、ハードウェアインターフェース、ファームウェアインターフェース、ソフトウェアインターフェース、および／またはそれらの組み合わせであり得る。ハードウェアインターフェースは、コネクタ、ワイヤ、ドライバ等の電子デバイス、増幅器等を含み得る。ソフトウェアインターフェースは、プロトコル、プロトコル層、通信ドライバ、デバイスドライバ、それらの組み合わせ等を実装するためにメモリデバイスの中に記憶されるコードを含み得る。ファームウェアインターフェースは、埋め込まれるハードウェアとコードとの組み合わせを含み得、コードは、接続、電子デバイス動作、プロトコル、プロトコル層、通信ドライバ、デバイスドライバ、ハードウェア動作、それらの組み合わせ等を実装するために、メモリデバイスの中に記憶され、および／または、それと通信する。
【００１５】
用語「構成される」は、デバイスが動作または非動作状態にあるかどうかにかかわらず、デバイスの能力に関し得る。「構成される」は、デバイスが動作または非動作状態にあるかどうかにかかわらず、デバイスの動作特性をもたらす、デバイス内の特定の設定も指し得る。換言すると、ハードウェア、ソフトウェア、ファームウェア、レジスタ、メモリ値等は、デバイスが動作もしくは非動作状態にあるかどうかにかかわらず、デバイスに特定の特性を提供するようにデバイス内で「構成」され得る。「デバイスにおいて生じさせるための制御メッセージ」等の用語は、制御メッセージが、デバイスが動作または非動作状態にあるかどうかにかかわらず、デバイス内の特定の特性を構成するために使用され得るパラメータを有することを意味し得る。
【００１６】
実施形態の種々の側面によると、ＬＴＥネットワークは、多数の基地局を含み得、ユーザプレーンＰＤＣＰ／ＲＬＣ／ＭＡＣ／ＰＨＹ、および無線デバイスに向かう制御プレーン（ＲＲＣ）プロトコル終端を提供する。基地局は、他の基地局と相互接続され得る（例えば、Ｘ２インターフェースを用いて相互接続される）。基地局は、例えば、Ｓ１インターフェースを用いて、ＥＰＣに接続され得る。例えば、基地局は、Ｓ１−ＭＭＥインターフェースを用いてＭＭＥに、Ｓ１−Ｕインターフェースを用いてＳ−Ｇに相互接続され得る。Ｓ１インターフェースは、ＭＭＥ／サービングゲートウェイと基地局との間の多対多関係をサポートし得る。基地局は、多くのセクタ、例えば、１、２、３、４、または６つのセクタを含み得る。基地局は、多くのセル、例えば、１〜５０に及ぶ、またはそれを上回るセルを含み得る。セルは、例えば、一次セルまたは二次セルとして分類され得る。ＲＲＣ接続確立／再確立／ハンドオーバにおいて、１つのサービングセルが、ＮＡＳ（非アクセス層）モビリティ情報（例えば、ＴＡＩ）を提供し得、ＲＲＣ接続再確立／ハンドオーバにおいて、１つのサービングセルが、セキュリティ入力を提供し得る。このセルは、一次セル（Ｐセル）と称され得る。ダウンリンクにおいて、Ｐセルに対応するキャリアは、ダウンリンク一次コンポーネントキャリア（ＤＬ  ＰＣＣ）であり得る一方で、アップリンクにおいて、Ｐセルに対応するキャリアは、アップリンク一次コンポーネントキャリア（ＵＬ  ＰＣＣ）であり得る。無線デバイス能力に応じて、二次セル（Ｓセル）が、Ｐセルとともにサービングセルの組を形成するように構成され得る。ダウンリンクにおいて、Ｓセルに対応するキャリアは、ダウンリンク二次コンポーネントキャリア（ＤＬ  ＳＣＣ）であり得る一方で、アップリンクにおいて、それは、アップリンク二次コンポーネントキャリア（ＵＬ  ＳＣＣ）であり得る。Ｓセルは、アップリンクキャリアを有することも、有しないこともある。
【００１７】
ダウンリンクキャリアと、随意に、アップリンクキャリアとを含むセルは、物理セルＩＤおよびセルインデックスを割り当てられ得る。キャリア（ダウンリンクまたはアップリンク）は、１つのみのセルに属し得る。セルＩＤまたはセルインデックスは、セルのダウンリンクキャリアまたはアップリンクキャリアを識別し得る（それが使用される状況に応じて）。本明細書において、セルＩＤは、同等に、キャリアＩＤと称され得、セルインデックスは、キャリアインデックスと称され得る。実装において、物理セルＩＤまたはセルインデックスは、セルに割り当てられ得る。セルＩＤは、ダウンリンクキャリア上で伝送される同期信号を使用して、決定され得る。セルインデックスは、ＲＲＣメッセージを使用して、決定され得る。例えば、本明細書が、第１のダウンリンクキャリアに対して第１の物理セルＩＤを指すとき、本明細書は、第１の物理セルＩＤが第１のダウンリンクキャリアを含むセルに対するものであることを意味し得る。同一概念は、例えば、キャリアアクティブ化にも適用され得る。本明細書が、第１のキャリアがアクティブにされることを示すとき、本明細書は、第１のキャリアを含むセルがアクティブにされることも意味し得る。
【００１８】
実施形態は、必要に応じて動作するように構成され得る。開示される機構は、ある基準が、例えば、無線デバイス、基地局、無線環境、ネットワーク、上記の組み合わせ等において満たされるときに実施され得る。例示的基準は、少なくとも部分的に、例えば、トラフィック負荷、初期システム設定、パケットサイズ、トラフィック特性、上記の組み合わせ等に基づき得る。１つ以上の基準が満たされるとき、種々の例示的実施形態が適用され得る。したがって、開示されるプロトコルを選択的に実装する例示的実施形態を実装することが可能であり得る。
【００１９】
基地局は、無線デバイスの混合と通信し得る。無線デバイスは、複数の技術および／または同一技術の複数のリリースをサポートし得る。無線デバイスは、その無線デバイスカテゴリおよび／または能力に応じて、いくつかの特定の能力を有し得る。基地局は、複数のセクタを備え得る。本開示が、複数の無線デバイスと通信する基地局を指すとき、本開示は、サービスエリア内の総無線デバイスのサブセットを指し得る。本開示は、例えば、所与の能力を伴い、基地局の所与のセクタ内にある、所与のＬＴＥリリースの複数の無線デバイスに言及し得る。本開示における複数の無線デバイスは、選択された複数の無線デバイス、および／または開示される方法に従って機能する、サービスエリア内の総無線デバイスのサブセット等を指し得る。サービスエリア内に、例えば、それらの無線デバイスがＬＴＥ技術のより古いリリースに基づいて機能するので、開示される方法に準拠しないこともある複数の無線デバイスが存在し得る。
【００２０】
図６および図７は、本開示の実施形態のある側面による、ＣＡおよびＤＣを用いたプロトコル構造に対する例示的略図である。Ｅ−ＵＴＲＡＮは、デュアルコネクティビティ（ＤＣ）動作をサポートし得、それによって、ＲＲＣ＿ＣＯＮＮＥＣＴＥＤ内の複数のＲＸ／ＴＸ  ＵＥは、２つのｅＮＢ内に位置する２つのスケジューラによって提供される無線リソースを利用するように構成され得、２つのｅＮＢは、Ｘ２インターフェースを経由して非理想的バックホールを介して接続される。あるＵＥのためのＤＣに関与するｅＮＢは、２つの異なる役を担い得、すなわち、ｅＮＢは、ＭｅＮＢまたはＳｅＮＢのいずれかとしての役割を果たし得る。ＤＣにおいて、ＵＥは、１つのＭｅＮＢおよび１つのＳｅＮＢに接続され得る。ＤＣで実装される機構は、３つ以上のｅＮＢを対象とするように拡張され得る。図７は、マスタセルグループ（ＭＣＧ）および二次セルグループ（ＳＣＧ）が構成されるときのＵＥ側ＭＡＣエンティティのための一例示的構造を図示し、それは、実装を制限しないこともある。媒体ブロードキャストマルチキャストサービス（ＭＢＭＳ）受信は、簡単にするために本図には示されていない。
【００２１】
ＤＣにおいて、特定のベアラが使用する無線プロトコルアーキテクチャは、ベアラが設定される方法に依存し得る。３つの代替物、すなわち、図６に示されるようなＭＣＧベアラ、ＳＣＧベアラ、および分割ベアラが、存在し得る。ＲＲＣは、ＭｅＮＢ内に位置し得、ＳＲＢは、ＭＣＧベアラタイプとして構成され得、ＭｅＮＢの無線リソースを使用し得る。ＤＣは、ＳｅＮＢによって提供される無線リソースを使用するように構成される少なくとも１つのベアラを有するものとしても説明され得る。ＤＣは、本開示の例示的実施形態において、構成／実装されることも、そうでないこともある。
【００２２】
ＤＣの場合、ＵＥは、２つのＭＡＣエンティティ、すなわち、ＭｅＮＢのための１つのＭＡＣエンティティとＳｅＮＢのための１つのＭＡＣエンティティとで構成され得る。ＤＣにおいて、ＵＥのための構成されたサービングセルのセットは、２つのサブセット、すなわち、ＭｅＮＢのサービングセルを含むマスタセルグループ（ＭＣＧ）と、ＳｅＮＢのサービングセルを含む二次セルグループ（ＳＣＧ）とを備え得る。ＳＣＧに対して、以下のうちの１つ以上のものが当てはまり得る。ＳＣＧ内の少なくとも１つのセルは、構成されたＵＬ  ＣＣを有し得、ＰＳセルと称される（またはＳＣＧのＰセルもしくは時としてＰセルとも呼ばれる）それらのうちの１つは、ＰＵＣＣＨリソースで構成され得る。ＳＣＧが構成されるとき、少なくとも１つのＳＣＧベアラまたは１つの分割ベアラが、存在し得る。ＰＳセル上の物理層問題もしくはランダムアクセス問題、またはＳＣＧに関連付けられたＲＬＣ再伝送の最大数が達したことの検出時、または、ＳＣＧ追加またはＳＣＧ変更中のＰＳセルにおけるアクセス問題の検出時：ＲＲＣ接続再確立プロシージャが、トリガされないこともあり、ＳＣＧのセルに向かうＵＬ伝送が、停止させられ得、ＭｅＮＢは、ＵＥによってＳＣＧ障害タイプを知らされ得る。分割ベアラに対して、ＭｅＮＢを経由したＤＬデータ転送が維持され得る。ＲＬＣ  ＡＭベアラは、分割ベアラのために構成され得る。Ｐセルのように、ＰＳセルは、非アクティブにされないこともある。ＰＳセルは、ＳＣＧ変更に伴って（例えば、セキュリティキー変更およびＲＡＣＨプロシージャに伴って）変更され得、および／または、分割ベアラとＳＣＧベアラとの間の直接ベアラタイプ変更も、ＳＣＧおよび分割ベアラの同時構成もサポートされないこともある。
【００２３】
ＭｅＮＢとＳｅＮＢとの間の相互作用に関して、以下の原理のうちの１つ以上のものが、当てはまり得る。ＭｅＮＢは、ＵＥのＲＲＭ測定構成を維持し得、（例えば、受信された測定報告またはトラフィック条件もしくはベアラタイプに基づいて）ＵＥのための追加のリソース（サービングセル）を提供するようにＳｅＮＢに求めることを決定し得る。ＭｅＮＢから要求を受信すると、ＳｅＮＢは、ＵＥのための追加のサービングセルの構成をもたらし得るコンテナを作成し得る（またはそうするために利用可能なリソースを有していないことを決定する）。ＵＥ能力調整のために、ＭｅＮＢは、ＡＳ構成およびＵＥ能力（の一部）をＳｅＮＢに提供し得る。ＭｅＮＢとＳｅＮＢとは、Ｘ２メッセージ内で搬送されるＲＲＣコンテナ（ノード間メッセージ）を用いることによって、ＵＥ構成についての情報を交換し得る。ＳｅＮＢは、その既存のサービングセルの再構成を開始し得る（例えば、ＳｅＮＢに向かうＰＵＣＣＨ）。ＳｅＮＢは、ＳＣＧ内のＰＳセルであるセルを決定し得る。ＭｅＮＢは、ＳｅＮＢによって提供されるＲＲＣ構成のコンテンツを変更しないこともある。ＳＣＧ追加およびＳＣＧ  Ｓセル追加の場合、ＭｅＮＢは、ＳＣＧセルのための最新測定結果を提供し得る。ＭｅＮＢおよびＳｅＮＢの両方は、ＳＦＮ、およびＯＡＭによる互いのサブフレームオフセットを把握し得る（例えば、測定ギャップのＤＲＸ合わせおよび識別の目的のために）。例では、新しいＳＣＧ  Ｓセルを追加するとき、専用ＲＲＣシグナリングが、ＳＣＧのＰＳセルのＭＩＢから取得されるＳＦＮを除き、ＣＡに関するセルの要求されるシステム情報を送信するために使用され得る。
【００２４】
例では、サービングセルは、ＴＡグループ（ＴＡＧ）内でグループ化され得る。１つのＴＡＧ内のサービングセルは、同一タイミング基準を使用し得る。所与のＴＡＧに対して、ユーザ機器（ＵＥ）は、タイミング基準として、少なくとも１つのダウンリンクキャリアを使用し得る。所与のＴＡＧに対して、ＵＥは、同一ＴＡＧに属するアップリンクキャリアのアップリンクサブフレームおよびフレーム伝送タイミングを同期させ得る。例では、同一ＴＡが適用されるアップリンクを有するサービングセルは、同一受信機によってホストされるサービングセルに対応し得る。複数のＴＡをサポートするＵＥは、２つ以上のＴＡグループをサポートし得る。１つのＴＡグループは、Ｐセルを含み得、一次ＴＡＧ（ｐＴＡＧ）と呼ばれ得る。複数ＴＡＧ構成において、少なくとも１つのＴＡグループは、Ｐセルを含まないこともあり、二次ＴＡＧ（ｓＴＡＧ）と呼ばれ得る。例では、同一ＴＡグループ内のキャリアは、同一ＴＡ値および／または同一タイミング基準を使用し得る。ＤＣが構成されるとき、セルグループ（ＭＣＧまたはＳＣＧ）に属するセルは、ｐＴＡＧと１つ以上のｓＴＡＧとを含む複数のＴＡＧにグループ化され得る。
【００２５】
図８は、本開示の実施形態のある側面による、例示的ＴＡＧ構成を示す。例１では、ｐＴＡＧは、Ｐセルを含み、ｓＴＡＧは、Ｓセル１を含む。例２では、ｐＴＡＧは、ＰセルおよびＳセル１を含み、ｓＴＡＧは、Ｓセル２およびＳセル３を含む。例３では、ｐＴＡＧは、ＰセルおよびＳセル１を含み、ｓＴＡＧ１は、Ｓセル２およびＳセル３を含み、ｓＴＡＧ２は、Ｓセル４を含む。最大４つのＴＡＧが、セルグループ（ＭＣＧまたはＳＣＧ）内でサポートされ得、他の例示的ＴＡＧ構成も、提供され得る。本開示における種々の例では、例示的機構は、ｐＴＡＧおよびｓＴＡＧに対して説明される。例示的機構のうちのいくつかが、複数のｓＴＡＧを伴う構成に適用され得る。
【００２６】
例では、ｅＮＢは、アクティブにされたＳセルのためのＰＤＣＣＨ指示を介してＲＡプロシージャを開始し得る。このＰＤＣＣＨ指示は、このＳセルのスケジューリングセル上で送信され得る。クロスキャリアスケジューリングが、セルのために構成されているとき、スケジューリングセルは、プリアンブル伝送のために用いられるセルと異なり得、ＰＤＣＣＨ指示は、Ｓセルインデックスを含み得る。少なくとも非競合ベースのＲＡプロシージャが、ｓＴＡＧに割り当てられるＳセルのためにサポートされ得る。
【００２７】
図９は、本開示の実施形態のある側面による、二次ＴＡＧ内のランダムアクセスプロセスにおける例示的メッセージフローである。ｅＮＢは、アクティブ化コマンド６００を伝送し、Ｓセルをアクティブにする。プリアンブル６０２（Ｍｓｇ１）が、ｓＴＡＧに属するＳセル上のＰＤＣＣＨ指示６０１に応答して、ＵＥによって送信され得る。例示的実施形態では、Ｓセルに対するプリアンブル伝送は、ＰＤＣＣＨフォーマット１Ａを使用して、ネットワークによって制御され得る。Ｓセル上のプリアンブル伝送に応答したＭｓｇ２メッセージ６０３（ＲＡＲ：ランダムアクセス応答）は、Ｐセル共通検索空間（ＣＳＳ）内のＲＡ−ＲＮＴＩにアドレスされ得る。アップリンクパケット６０４は、プリアンブルが伝送されたＳセル上で伝送され得る。
【００２８】
ある実施形態によると、初期タイミング合わせは、ランダムアクセスプロシージャを通して達成され得る。これは、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴い得る。ランダムアクセスプリアンブルの開始は、ＮＴＡ＝０を仮定するＵＥにおいて、対応するアップリンクサブフレームの開始と合わせられ得る。ｅＮＢは、ＵＥによって伝送されるランダムアクセスプリアンブルからアップリンクタイミングを推定し得る。ＴＡコマンドは、所望のＵＬタイミングと実際のＵＬタイミングとの間の差異の推定に基づいて、ｅＮＢによって導出され得る。ＵＥは、プリアンブルが伝送されるｓＴＡＧの対応するダウンリンクに対して初期アップリンク伝送タイミングを決定し得る。
【００２９】
ＴＡＧへのサービングセルのマッピングは、ＲＲＣシグナリングを用いてサービングｅＮＢによって構成され得る。ＴＡＧ構成および再構成のための機構は、ＲＲＣシグナリングに基づき得る。実施形態の種々の側面によると、ｅＮＢがＳセル追加構成を実施するとき、関連ＴＡＧ構成が、Ｓセルのために構成され得る。例示的実施形態では、ｅＮＢは、Ｓセルを除去（解放）し、更新されたＴＡＧ  ＩＤを伴う新しいＳセルを（同一物理セルＩＤおよび周波数を伴って）追加（構成）することによって、ＳセルのＴＡＧ構成を修正し得る。更新されたＴＡＧ  ＩＤを伴う新しいＳセルは、更新されたＴＡＧ  ＩＤが割り当てられた後、最初、非アクティブであり得る。ｅＮＢは、更新された新しいＳセルをアクティブにし、アクティブにされたＳセル上でパケットをスケジューリングすることを開始し得る。例示的実装では、Ｓセルに関連付けられたＴＡＧを変更することは可能ではないこともあり、むしろ、Ｓセルは、除去される必要があり得、新しいＳセルが、別のＴＡＧを伴って追加される必要があり得る。例えば、ＳセルをｓＴＡＧからｐＴＡＧに移動させる必要がある場合、少なくとも１つのＲＲＣメッセージ（例えば、少なくとも１つのＲＲＣ再構成メッセージ）が、Ｓセルを解放し、次いで、ＳセルをｐＴＡＧの一部として構成することによってＴＡＧ構成を再構成するために、ＵＥに送信され得る。Ｓセルが、ＴＡＧインデックスを伴わずに追加／構成されるとき、Ｓセルは、ｐＴＡＧに明示的に割り当てられ得る。Ｐセルは、そのＴＡグループを変更しないこともあり、ｐＴＡＧのメンバであり得る。
【００３０】
ＲＲＣ接続再構成プロシージャの目的は、ＲＲＣ接続を修正すること（例えば、ＲＢを確立、修正、および／または解放すること、ハンドオーバを実施すること、測定を設定、修正、および／または解放すること、Ｓセルを追加、修正、および／または解放すること）であり得る。受信されたＲＲＣ接続再構成メッセージがｓＣｅｌｌＴｏＲｅｌｅａｓｅＬｉｓｔを含む場合、ＵＥは、Ｓセル解放を実施し得る。受信されたＲＲＣ接続再構成メッセージがｓＣｅｌｌＴｏＡｄｄＭｏｄＬｉｓｔを含む場合、ＵＥは、Ｓセル追加または修正を実施し得る。
【００３１】
ＬＴＥリリース−１０およびリリース−１１ＣＡにおいて、ＰＵＣＣＨは、Ｐセル（ＰＳセル）上でｅＮＢに伝送されるのみであり得る。ＬＴＥ−リリース１２およびそれ以前では、ＵＥは、ＰＵＣＣＨ情報を１つのセル（ＰセルまたはＰＳセル）上で所与のｅＮＢに伝送し得る。
【００３２】
ＣＡ対応ＵＥの数、アグリゲーションされたキャリアの数も増加するにつれて、ＰＵＣＣＨの数、ＰＵＣＣＨペイロードサイズも、増加し得る。Ｐセル上のＰＵＣＣＨ伝送に対処することは、Ｐセル上の高ＰＵＣＣＨ負荷につながり得る。Ｓセル上のＰＵＣＣＨは、ＰＵＣＣＨリソースをＰセルからオフロードするために導入され得る。２つ以上のＰＵＣＣＨ、例えば、Ｐセル上のＰＵＣＣＨおよびＳセル上の別のＰＵＣＣＨが、構成され得る。例示的実施形態では、１つ、２つ、またはそれを上回るセルが、ＣＳＩ／ＡＣＫ／ＮＡＣＫを基地局に伝送するために、ＰＵＣＣＨリソースで構成され得る。セルは、複数のＰＵＣＣＨグループにグループ化され得、グループ内の１つ以上のセルが、ＰＵＣＣＨで構成され得る。例示的構成では、１つのＳセルが、１つのＰＵＣＣＨグループに属し得る。基地局に伝送される構成されたＰＵＣＣＨを有するＳセルは、ＰＵＣＣＨ  Ｓセルと呼ばれ得、同一基地局に伝送される共通ＰＵＣＣＨリソースを有するセルグループは、ＰＵＣＣＨグループと呼ばれ得る。
【００３３】
例示的実施形態では、ＭＡＣエンティティは、ＴＡＧごとに構成可能なタイマｔｉｍｅＡｌｉｇｈｎｍｅｎｔＴｉｍｅｒを有し得る。ｔｉｍｅＡｌｉｇｈｎｍｅｎｔＴｉｍｅｒは、ＭＡＣエンティティがアップリンク時間合わせされるべき関連付けられたＴＡＧに属するサービングセルを検討する時間の長さを制御するために使用され得る。ＭＡＣエンティティは、タイミングアドバンスコマンドＭＡＣ制御要素が受信されるとき、示されるＴＡＧのためのタイミングアドバンスコマンドを適用し得る：示されるＴＡＧに関連付けられたｔｉｍｅＡｌｉｇｈｎｍｅｎｔＴＩｍｅｒを始動または再始動させ得る。ＭＡＣエンティティは、タイミングアドバンスコマンドが、ＴＡＧに属するサービングセルのためのランダムアクセス応答メッセージ内で受信されるとき、および／または、ランダムアクセスプリアンブルが、ＭＡＣエンティティによって選択されなかった場合、このＴＡＧのためのタイミングアドバンスコマンドを適用し、このＴＡＧに関連付けられたｔｉｍｅＡｌｉｇｈｎｍｅｎｔＴｉｍｅｒを始動または再始動させ得る。そうでなければ、このＴＡＧに関連付けられたｔｉｍｅＡｌｉｇｈｎｍｅｎｔＴｉｍｅｒが起動していない場合、このＴＡＧのためのタイミングアドバンスコマンドが適用され得、このＴＡＧに関連付けられたｔｉｍｅＡｌｉｇｈｎｍｅｎｔＴｉｍｅｒが始動させられ得る。競合解決が成功ではないと見なされるとき、このＴＡＧに関連付けられたｔｉｍｅＡｌｉｇｈｎｍｅｎｔＴｉｍｅｒは、停止させられ得る。そうでなければ、ＭＡＣエンティティは、受信されたタイミングアドバンスコマンドを無視し得る。
【００３４】
例示的実施形態では、タイマは、始動させられると、停止させられるまで、または満了するまで起動している。そうでなければ、それは、起動していないこともある。タイマは、起動していない場合に始動させられること、または起動している場合に再始動させられることができる。例えば、タイマは、その初期値から始動または再始動させられ得る。
【００３５】
本開示の例示的実施形態は、マルチキャリア通信の動作を可能にし得る。他の例示的実施形態は、マルチキャリア通信の動作を生じさせるように１つ以上のプロセッサによって実行可能な命令を備えている非一過性の有形コンピュータ読み取り可能な媒体を備え得る。さらに他の例示的実施形態は、プログラマブルハードウェアがデバイス（例えば、無線通信機、ＵＥ、基地局等）にマルチキャリア通信の動作を可能にさせることを可能にするためのその上にエンコードされた命令を有する非一過性の有形コンピュータ読み取り可能な機械アクセス可能媒体を備えている製造品を備え得る。デバイスは、プロセッサ、メモリ、インターフェース等を含み得る。他の例示的実施形態は、基地局、無線デバイス（またはユーザ機器：ＵＥ）、サーバ、スイッチ、アンテナ等のデバイスを備えている、通信ネットワークを備え得る。
【００３６】
セルラーネットワークを経由して搬送されるデータトラフィックの量は、この先何年も増加することが予期される。ユーザ／デバイスの数は、増加しており、各ユーザ／デバイスは、ますます多くの種々のサービス、例えば、ビデオ配信、大型ファイル、画像にアクセスする。これは、ネットワーク内の高容量を要求するだけでなく、双方向性および応答性への顧客の期待を満たすための非常に高いデータレートをプロビジョニングすることも要求し得る。より多くのスペクトルが、したがって、セルラーオペレータが増加する需要を満たすために必要とされ得る。シームレスなモビリティとともに高データレートのユーザ期待を考慮すると、より多くのスペクトルが、セルラーシステムのためのマクロセルならびに小型セルを展開するために利用可能にされることが有益であり得る。
【００３７】
市場の需要を満たそうと努めて、トラフィック増大を満たすために無認可スペクトルを利用して、ある補完的アクセスを展開することにオペレータからの関心が増大してきた。これは、多数のオペレータ展開型Ｗｉ−ＦｉネットワークおよびＬＴＥ／ＷＬＡＮインターワーキングソリューションの３ＧＰＰ標準化によって例示される。この関心は、無認可スペクトルが、存在するとき、セルラーオペレータがホットスポットエリア等のいくつかのシナリオでトラフィック激増に対処することに役立つための認可スペクトルの効果的な補完であり得ることを示す。ＬＡＡは、１つの無線ネットワークを管理し、したがって、ネットワークの効率を最適化するための新しい可能性を提供しながら、オペレータが無認可スペクトルを利用するための代替物を提供し得る。
【００３８】
例示的実施形態では、トーク前リッスン（クリアチャネル査定）が、ＬＡＡセル内の伝送のために実装され得る。トーク前リッスン（ＬＢＴ）プロシージャにおいて、機器は、チャネルを使用する前に、クリアチャネル査定（ＣＣＡ）チェックを適用し得る。例えば、ＣＣＡは、チャネルが占有されているか、またはクリアであるかを決定するために、チャネル上の他の信号の存在もしくは非存在を決定するために、少なくともエネルギー検出を利用し得る。例えば、欧州および日本の規制は、無認可帯域内のＬＢＴの使用を義務付ける。規制要件は別として、ＬＢＴを介したキャリア感知は、無認可スペクトルの公平な共有のための１つの方法であり得る。
【００３９】
例示的実施形態では、限定された最大伝送持続時間を伴う無認可キャリア上の不連続伝送が、可能にされ得る。これらの機能のうちのいくつかは、不連続ＬＡＡダウンリンク伝送の開始から伝送される１つ以上の信号によってサポートされ得る。チャネル予約は、成功したＬＢＴ動作を介してチャネルアクセスを獲得した後、ＬＡＡノードによる信号の伝送によって可能にされ得、それによって、ある閾値を上回るエネルギーを伴う伝送された信号を受信する他のノードは、チャネルが占有されていることを感知する。不連続ダウンリンク伝送を伴うＬＡＡ動作のための１つ以上の信号によってサポートされる必要があり得る機能は、以下のうちの１つ以上のものを含み得る：ＵＥによる（セル識別を含む）ＬＡＡダウンリンク伝送の検出、ＵＥの時間ならびに波数同期化等。
【００４０】
例示的実施形態では、ＤＬＬ  ＡＡ設計は、ＣＡによってアグリゲーションされるサービングセルを横断するＬＴＥ−Ａキャリアアグリゲーションタイミング関係に従って、サブフレーム境界合わせを用い得る。これは、ｅＮＢ伝送がサブフレーム境界のみから開始しできることを意味しないこともある。ＬＡＡは、ＬＢＴに従って、全てのＯＦＤＭシンボルがサブフレーム内の伝送のために利用可能であるわけではないとき、ＰＤＳＣＨを伝送することをサポートし得る。ＰＤＳＣＨのための必要な制御情報の配信も、サポートされ得る。
【００４１】
ＬＢＴプロシージャは、無認可スペクトルで動作する他のオペレータおよび技術とのＬＡＡの公平かつ友好的な共存のために用いられ得る。無認可スペクトル内のキャリア上で伝送しようとするノード上のＬＢＴプロシージャは、クリアチャネル査定を実施し、チャネルが使用のために空いているかどうかを決定するようにノードに要求し得る。ＬＢＴプロシージャは、チャネルが使用されているかどうかを決定するために、少なくともエネルギー検出を伴い得る。例えば、いくつかの地域内、例えば、欧州内の規制要件は、ノードがエネルギー検出閾値を上回るエネルギーを受け取る場合、チャネルが空いていないことをノードが仮定するように、この閾値を規定し得る。ノードは、そのような規制要件に従い得るが、ノードは、随意に、規制要件によって規定されるものよりも低いエネルギー検出の閾値を使用し得る。例では、ＬＡＡは、エネルギー検出閾値を適応的に変化させる機構を用い得る。例えば、ＬＡＡは、上限からエネルギー検出閾値を適応的に下げる機構を用い得る。適応機構は、閾値の静的または半静的設定を除外しないこともある。例では、カテゴリ４ＬＢＴ機構または他のタイプのＬＢＴ機構が、実装され得る。
【００４２】
種々の例示的ＬＢＴ機構が、実装され得る。例では、いくつかの信号に対して、いくつかの実装シナリオにおいて、いくつかの状況において、および／またはいくつかの周波数において、ＬＢＴプロシージャが伝送エンティティによって実施されないこともある。例では、カテゴリ２（例えば、ランダムバックオフがないＬＢＴ）が、実装され得る。伝送エンティティが伝送する前にチャネルがアイドルであると感知される持続時間は、決定論的であり得る。例では、カテゴリ３（例えば、固定サイズのコンテンションウィンドウを伴うランダムバックオフを用いたＬＢＴ）が、実装され得る。ＬＢＴプロシージャは、そのコンポーネントのうちの１つとして、以下のプロシージャを有し得る。伝送エンティティは、コンテンションウィンドウ内で乱数Ｎを選び出し得る。コンテンションウィンドウのサイズは、Ｎの最小値および最大値によって規定され得る。コンテンションウィンドウのサイズは、固定され得る。乱数Ｎは、伝送エンティティがチャネル上で伝送する前にチャネルがアイドルであると感知される持続時間を決定するために、ＬＢＴプロシージャで用いられ得る。例では、カテゴリ４（例えば、可変サイズのコンテンションウィンドウを伴うランダムバックオフを用いたＬＢＴ）が、実装され得る。伝送エンティティは、コンテンションウィンドウ内で乱数Ｎを選び出し得る。コンテンションウィンドウのサイズは、Ｎの最小値および最大値によって規定され得る。伝送エンティティは、乱数Ｎを選び出すとき、コンテンションウィンドウのサイズを変動させ得る。乱数Ｎは、伝送エンティティがチャネル上で伝送する前にチャネルがアイドルであると感知される持続時間を決定するために、ＬＢＴプロシージャで用いられ得る。
【００４３】
ＬＡＡは、ＵＥにおけるアップリンクＬＢＴを用い得る。ＵＬ  ＬＢＴスキームは、ＬＡＡ  ＵＬが、ＵＥのチャネルコンテンション機会に影響を及ぼすスケジュールされたアクセスに基づき得るので、（例えば、異なるＬＢＴ機構またはパラメータを使用することによって）ＤＬ  ＬＢＴスキームと異なり得る。異なるＵＬ  ＬＢＴスキームの動機付けをする他の考慮事項は、単一のサブフレーム内の複数のＵＥの多重化を含むが、それに限定されない。
【００４４】
例では、ＤＬ伝送バーストは、同一ＣＣ上の同一ノードから直前または直後に伝送がない、ＤＬ伝送ノードからの連続伝送であり得る。ＵＥの観点からのＵＬ伝送バーストは、同一ＣＣ上の同一ＵＥから直前または直後に伝送がない、ＵＥからの連続伝送であり得る。例では、ＵＬ伝送バーストは、ＵＥの観点から定義され得る。例では、ＵＬ伝送バーストは、ｅＮＢの観点から定義され得る。例では、同一無認可キャリアを経由してＤＬ＋ＵＬ  ＬＡＡを動作させるｅＮＢの場合、ＬＡＡ上のＤＬ伝送バーストおよびＵＬ伝送バーストは、同一無認可キャリアを経由してＴＤＭ様式でスケジュールされ得る。例えば、時間のある瞬間は、ＤＬ伝送バーストまたはＵＬ伝送バーストの一部であり得る。
【００４５】
例示的実施形態では、無認可セルにおいて、ダウンリンクバーストが、サブフレームの中で開始され得る。ｅＮＢがチャネルにアクセスするとき、ｅＮＢは、１つ以上のサブフレームの持続時間にわたって伝送し得る。持続時間は、ｅＮＢ内の最大構成バースト持続時間、伝送に利用可能なデータ、および／またはｅＮＢスケジューリングアルゴリズムに依存し得る。図１０は、無認可（例えば、認可支援アクセス）セルにおける例示的ダウンリンクバーストを示す。例示的実施形態における最大構成バースト持続時間は、ｅＮＢ内で構成され得る。ｅＮＢは、ＲＲＣ構成メッセージを用いて、最大構成バースト持続時間をＵＥに伝送し得る。
【００４６】
無線デバイスは、基地局から、複数のセルの構成パラメータを備えている、少なくとも１つのメッセージ（例えば、ＲＲＣ）を受信し得る。複数のセルは、少なくとも１つの認可セルと、少なくとも１つの無認可セル（例えば、ＬＡＡセル）とを備え得る。セルの構成パラメータは、例えば、物理チャネル（例えば、ｅＰＤＣＣＨ、ＰＤＳＣＨ、ＰＵＳＣＨ、ＰＵＣＣＨ等）の構成パラメータを備え得る。
【００４７】
フレーム構造タイプ３は、無認可（例えば、ＬＡＡ）二次セル動作に適用可能であり得る。例では、フレーム構造タイプ３は、通常のサイクリックプレフィックスのみを伴って実装され得る。無線フレームは、長さがＴｆ＝３０７２００・Ｔｓ＝１０ミリ秒であり得、０〜１９と番号付けられる、長さＴｓｌｏｔ＝１５３６０・Ｔｓ＝０．５ミリ秒の２０個のスロットを備え得る。サブフレームは、サブフレームｉがスロット２ｉおよび２ｉ＋１から成る、２つの連続スロットとして画定され得る。例では、無線フレーム内の１０個のサブフレームが、ダウンリンクおよび／またはアップリンク伝送のために利用可能であり得る。ダウンリンク伝送は、１つ以上の連続サブフレームを占有し得、それは、サブフレーム内のいずれかの場所で始まり、完全に占有されるか、または３ＧＰＰフレーム構造２（ＴＤＤフレーム）内でＤｗＰＴＳ持続時間のうちの１つに続くかのいずれかである最後のサブフレームで終わる。ＬＡＡセルがアップリンク伝送のために構成されるとき、フレーム構造３が、アップリンクまたはダウンリンク伝送の両方に使用され得る。
【００４８】
ｅＮＢは、１つ以上のＲＲＣメッセージを無線デバイス（ＵＥ）に伝送し得る。１つ以上のＲＲＣメッセージは、１つ以上の認可セルおよび／または１つ以上の無認可（例えば、認可支援アクセス−ＬＡＡ）セルを備えている、複数のセルの構成パラメータを備え得る。１つ以上のＲＲＣメッセージは、１つ以上の無認可（例えば、ＬＡＡ）セルの構成パラメータを備え得る。ＬＡＡセルは、ダウンリンクおよび／またはアップリンク伝送のために構成され得る。
【００４９】
例では、構成パラメータは、ＬＡＡセルのためのＮの値を有する第１の構成フィールドを備え得る。パラメータＮは、ＲＲＣ構成可能であり得る。Ｎは、セル特定またはＵＥ特定のＲＲＣパラメータであり得る。例えば、Ｎ（例えば、６、８、１６）は、ＵＬ伝送のために構成され得るＨＡＲＱプロセスの最大数を示し得る。例では、１つ以上のＲＲＣメッセージは、マルチサブフレーム配分パラメータの構成パラメータ、アップリンクにおけるＨＡＲＱプロセスの最大数、および／またはＬＡＡセルに関連付けられる他のパラメータを備え得る。
【００５０】
例では、ＵＥは、アップリンク伝送のためのアップリンクリソース（アップリンク許可に対するリソースブロック）を示すダウンリンク制御情報（ＤＣＩ）を受信し得る。
【００５１】
例示的実施形態では、持続的（バーストまたはマルチサブフレームとも呼ばれる）スケジューリングが実装され得る。ｅＮＢは、セルフスケジューリングおよび／またはクロススケジューリングによってアップリンク伝送をスケジュールし得る。例では、ｅＮＢは、マルチサブフレーム許可のためのＤＣＩを伝送するために、ＵＥ  Ｃ−ＲＮＴＩを使用し得る。ＵＥは、２つ以上の連続アップリンクサブフレーム（バースト）、例えば、ｍ個のサブフレームのためのアップリンクリソース（アップリンク許可に対するリソースブロック）を示すマルチサブフレームＤＣＩを受信し得る。例では、ＵＥは、ＤＣＩ許可に応答して、ｍ個のサブパケット（トランスポートブロック−ＴＢ）を伝送し得る。図１１は、例示的マルチサブフレーム許可、ＬＢＴプロセス、およびマルチサブフレーム伝送を示す。
【００５２】
例示的実施形態では、アップリンクＤＣＩは、アップリンクＲＢ、電力制御コマンド、ＭＣＳ、連続サブフレームの数（ｍ）、および／またはアップリンク許可の他のパラメータを含む１つ以上のフィールドを備え得る。
【００５３】
例では、マルチサブフレームＤＣＩは、ＤＣＩ許可がマルチサブフレーム許可であることを示す１つ以上のパラメータを備え得る。マルチサブフレームＤＣＩ内のフィールドは、スケジュールされた連続サブフレームの数（ｍ）を示し得る。例えば、ＬＡＡセル上のアップリンク許可のためのＤＣＩは、３ビットフィールドを備え得る。３ビットフィールドによって示される値は、アップリンクＤＣＩ許可に関連付けられるサブフレームの数を示し得る（他の例は、例えば、１ビットフィールドまたは２ビットフィールドを備え得る）。例えば、値０００は、１つのサブフレームに対する動的許可を示し得る。例えば、フィールド値０１１は、４つのスケジュールされたサブフレーム（ｍ＝２進法でのフィールド値＋１）のためのアップリンクリソースを示すＤＣＩを示し得る。例では、ＲＲＣ構成パラメータは、ＬＡＡセルのためのＮの値を有する第１の構成フィールドを備え得る。例示的実装では、フィールド値は、Ｎ未満であるように構成され得る。例えば、Ｎは、２として構成され得、マルチサブフレーム許可の中のスケジュールされたサブフレームの最大数は、２であり得る。例では、Ｎは、４として構成され得、マルチサブフレーム許可の中のスケジュールされたサブフレームの最大数は、４であり得る。例では、Ｎは、ＵＬにおける構成されたＨＡＲＱプロセスの数であり得る。キャリア上の連続サブフレームは、ＵＥがｅＮＢからマルチサブフレームＵＬ  ＤＣＩ許可を受信するときにＵＥに配分され得る。
【００５４】
マルチサブフレームＤＣＩの中に含まれる少なくとも１つのフィールドは、１つ以上のＴＢの伝送のためにｍ個の連続サブフレームにわたって使用される伝送パラメータおよびリソースブロックを決定し得る。ＤＣＩは、アップリンク伝送のための複数のリソースブロックの割り当てを備え得る。ＵＥは、ｍ個のサブフレームにわたってＤＣＩの中で示されるＲＢを使用し得る。同一のリソースブロックが、図１１に示されるようにｍ個のサブフレーム内でＵＥに配分され得る。
【００５５】
ＵＥは、アップリンク信号を伝送する前にトーク前リッスン（ＬＢＴ）を実施し得る。ＵＥは、チャネルが１つ以上の連続したアップリンクサブフレームのうちの開始サブフレームのためにクリアであることを示すＬＢＴプロシージャを実施し得る。ＵＥは、ＬＢＴプロシージャが、チャネルが開始サブフレームのためにクリアではないことを示す場合、開始サブフレームにおいて伝送を実施しないこともある。
【００５６】
例示的実施形態では、無線デバイスは、認可支援アクセス（ＬＡＡ）セルのための構成パラメータを備えている１つ以上の無線リソース制御（ＲＲＣ）メッセージを受信し得る。１つ以上のＲＲＣメッセージは、１つ以上の連続したアップリンクサブフレーム配分構成パラメータを備え得る。例では、１つ以上の連続したアップリンクサブフレーム配分構成パラメータは、第１のフィールド、Ｎを備えている。
【００５７】
無線デバイスは、ＬＡＡセルの１つ以上の連続したアップリンクサブフレームの数でアップリンクリソースを示すダウンリンク制御情報（ＤＣＩ）を受信し得る。ＤＣＩは、１つ以上の連続したアップリンクサブフレームの数（ｍ）と、複数のリソースブロックの割り当てと、伝送電力制御コマンドとを備え得る。第１のフィールドは、１つ以上の連続したアップリンクサブフレームの数の上限を示し得る。
【００５８】
無線デバイスは、チャネルが１つ以上の連続したアップリンクサブフレームのうちの開始サブフレームのためにクリアであることを示すトーク前リッスンプロシージャを実施し得る。無線デバイスは、１つ以上の連続したアップリンクサブフレームにわたって使用される複数のリソースブロックを介して、１つ以上のトランスポートブロックを伝送し得る。マルチサブフレームＤＣＩの中に含まれる少なくとも１つのフィールドは、１つ以上のＴＢの伝送のためにｍ個の連続サブフレームにわたって使用される伝送パラメータおよびリソースブロックを決定し得る。ＤＣＩは、アップリンク伝送のための複数のリソースブロックの割り当てを備え得る。ＵＥは、ｍ個のサブフレームにわたってＤＣＩの中で示されるＲＢを使用し得る。同一のリソースブロックが、ｍ個のサブフレームにおいてＵＥに配分され得る。
【００５９】
マルチサブフレーム許可（ＭＳＦＧ）を示すＤＣＩは、例えば、無認可セル（例えば、ＬＡＡセル）のために、キャリアアグリゲーションにおいてサポートされ得る。マルチサブフレーム許可（ＭＳＦＧ）の設計は、単一サブフレーム許可に使用される既存のＤＣＩの設計を考慮し得る。例えば、現在のＬＴＥ−Ａ  ＤＣＩフォーマット０および４は、特別な多重化を伴って、およびそれを伴わずに、アップリンク許可に使用され得る。ＤＣＩフォーマット０および４は、特別な多重化を伴って、またはそれを伴わずに、ＭＳＦＧをサポートするように更新され得る。
【００６０】
ＭＳＦＧは、ＵＥが、伝送パラメータのある共通セットに基づいて、複数の連続アップリンクサブフレーム上で伝送することを可能にし得る。ＭＣＳレベル、電力制御コマンド、および／またはリソース割り当て（例えば、ＲＢ）のような伝送パラメータのうちのいくつかは、スケジュールされたサブフレームにわたって共通し得る。ＨＡＲＱプロセスＩＤ、ＲＶ、および／またはＮＤＩのようないくつかのパラメータは、サブフレーム特定であり得る。ＭＳＦＧを示すＤＣＩは、許可に従って伝送のために可能にされる連続サブフレームの数を示す１つ以上のパラメータを備え得る。例では、ＤＣＩによって構成され得るパラメータは、ＭＳＦＧに関連付けられる連続サブフレームの数（ｍ）を含み得る。ＭＳＦＧは、サブフレームｎから開始し、サブフレームｎ＋ｍ−１において終了する、サブフレームのためのリソース配分を提供し得る。
【００６１】
ＵＥが、ＬＡＡキャリア上のｍ個の連続サブフレームのＵＥ伝送のためのマルチサブフレーム許可（ＭＳＦＧ）を受信すると、ＵＥは、スケジュールされたサブフレーム上の伝送の前にＬＢＴを実施し得る。成功したＬＢＴの後、予約信号の伝送が可能にされている場合、および／または必要とされる場合、予約信号が続き得る。ＵＥのＬＢＴは、サブフレームｎの第１の可能にされた伝送シンボルの開始の前に成功することも、成功しないこともある。例では、ＵＥのＬＢＴがサブフレームｎの第１の可能にされた伝送シンボルの前に成功した場合、ＵＥは、マルチサブフレームＤＣＩに従ってデータを伝送し得る。ＵＥは、ＬＢＴが成功したとき、データ（ＴＢ）を伝送し得る。
【００６２】
ＭＳＦＧを示すＤＣＩは、ＬＢＴに起因するＵＥ挙動のためのパラメータを含み得る。マルチサブフレームＤＣＩは、可能なＬＢＴ時間間隔および／または少なくとも１つのＬＢＴ構成パラメータを含み得る。ＤＣＩは、ＭＳＦＧに対応する伝送の前のＬＢＴプロセスのための１つ以上の構成パラメータを示し得る。
【００６３】
例では、１つ以上のＤＣＩは、予約信号の伝送のための構成、予約信号のフォーマット、可能にされた開始シンボル、および／またはＭＳＦＧに関連付けられたＬＢＴ間隔／シンボルを示し得る。例えば、ＤＣＩは、サブフレーム内のＰＵＳＣＨ開始位置を示し得る。ＬＢＴプロシージャは、ＰＵＳＣＨ開始位置の前に実施され得る。１つ以上のＤＣＩは、予約信号および／または部分サブフレーム構成を示す構成パラメータを備え得る。例示的実施形態では、マルチサブフレーム許可に対する予約信号および／または部分サブフレームの伝送は、サポートされないこともある。
【００６４】
例では、ＵＥは、サブフレームｎが開始する前にＬＢＴを実施し得る（例えば、シンボルの中で）。例では、ＵＥは、サブフレームｎの第１のシンボルの中でＬＢＴを実施し得る。ＵＥは、サブフレームの１つ以上の可能にされたシンボルの中で、もしくは、サブフレーム内の構成された期間／間隔内で、ＬＢＴを実施するように構成され得る。マルチサブフレーム許可ＤＣＩは、可能なＬＢＴ時間間隔および／または少なくとも１つのＬＢＴ構成パラメータを含み得る。例えば、ＤＣＩは、ＰＵＳＣＨがシンボル０の中で開始し、ＰＵＳＣＨが開始する前に（例えば、前のサブフレームの最後のシンボル）、ＬＢＴプロシージャが実施されることを示し得る。例えば、ＤＣＩは、ＰＵＳＣＨがシンボル１の中で開始し、ＰＵＳＣＨが開始する前に（例えば、シンボル０の中で）ＬＢＴプロシージャが実施されることを示し得る。
【００６５】
例では、１つ以上のＬＢＴ構成パラメータが、ＲＲＣメッセージの中で示され得る。例では、ＬＡＡセルを構成する１つ以上のＲＲＣメッセージは、ＬＢＴ間隔を示す少なくとも１つのフィールドを備え得る。
【００６６】
ｅＮＢは、複数のセルの構成パラメータを備えている１つ以上のＲＲＣメッセージをＵＥに伝送し得る。複数のセルは、１つ以上の認可セルと、１つ以上の無認可（例えば、ＬＡＡ）セルとを備え得る。ｅＮＢは、１つ以上の認可セルのための１つ以上のＤＣＩ、ならびに無認可（例えば、ＬＡＡ）セルのための１つ以上のＤＣＩを伝送し、認可／ＬＡＡセル上のダウンリンクおよび／またはアップリンクＴＢ伝送をスケジュールし得る。
【００６７】
ＵＥは、ｅＮＢから、認可支援アクセス（ＬＡＡ）セルのｍ個のサブフレームでアップリンクリソースを示す少なくとも１つのダウンリンク制御情報（ＤＣＩ）を受信し得る。例示的実施形態では、ＭＳＦＧ  ＤＣＩは、許可のサブフレームのＲＶ、ＮＤＩ、およびＨＡＲＱプロセスＩＤについての情報を含み得る。例えば、許可がｍ個のサブフレームのためのものであるとき、許可は、許可の中のｍ個のサブフレームに関連付けられるＨＡＲＱプロセスのためのＲＶおよびＮＤＩの少なくともｍ個の組を含み得る。例では、サブフレーム特定のパラメータは、ＭＳＦＧバーストの各サブフレームに対して、以下のうちの１つ以上のものを備え得る：ＲＶのためのＭビット、４つの冗長性バージョンのための例示的な２ビット、および／またはＮＤＩのための１ビット。
【００６８】
例では、共通パラメータは、ＰＵＳＣＨのためのＴＰＣ、ＤＭ  ＲＳのための循環シフト、リソースブロック割り当て、ＭＣＳおよび／または空間多重化パラメータ（該当する場合、例えば、ＤＣＩフォーマット４に含まれる）、アップリンクバーストに適用されるＬＢＴ関連パラメータ、ならびに／もしくは他のパラメータ、例えば、１つ以上のマルチサブフレーム構成パラメータを含み得る。ＭＳＦＧ  ＤＣＩは、ＭＳＦＧに関連付けられる全てのサブフレームに適用可能であるＲＢ割り当てフィールド、ＭＣＳフィールド、ＴＰＣフィールド、ＬＢＴフィールドを備え得る。これらのパラメータは、ＭＳＦＧバーストの異なるサブフレームに対して同一であり得る。リソースブロック割り当て、ＭＣＳ、および／または空間多重化パラメータは、ＭＳＦＧバーストによって変化し得る。
【００６９】
ｅＮＢは、ＬＡＡセルに対するＳＲＳ要求を含むＭＳＦＧ  ＤＣＩをＵＥに伝送し得る。ＵＥがＳＲＳ要求を備えているＭＳＦＧ  ＤＣＩを受信すると、ＬＡＡセルにおけるＳＲＳ伝送のための機構を定義する必要性がある。ＳＲＳ要求の受信後にＳＲＳ伝送が行われ得る最も早い時間を決定し得るオフセットｋを定義する必要性がある。ＬＡＡセルにおいて、ＳＲＳ伝送のためのチャネルへのＵＥのアクセスは、いくつかのＬＢＴ要件および／またはＣＯＴ制限を受け得る。アップリンクＭＳＦＧバースト内での非周期的ＳＲＳ伝送のタイミングを決定する機構を実装する必要性がある。
【００７０】
例示的実施形態では、ｅＮＢは、１つ以上の認可セルおよび１つ以上の無認可セルの構成パラメータを備えている少なくとも１つのＲＲＣメッセージをＵＥに伝送し得る。構成パラメータは、ＳＲＳ構成パラメータを備え得る。１つ以上のＳＲＳ構成パラメータは、共通パラメータであり得、１つ以上のＳＲＳ構成パラメータは、専用パラメータであり得る。例示的ＳＲＳ  ＲＲＣ構成パラメータが、本明細書の中で提示される。例示的実施形態では、パラメータの組、例えば、ｓｒｓ−ＣｏｎｆｉｇＡｐＤＣＩ−Ｆｏｒｍａｔ０は、非周期的ＳＲＳのためにＲＲＣによって構成され得る、例えば、ＤＣＩフォーマット０を使用してトリガされる。例えば、パラメータの共通セット、ｓｒｓ−ＣｏｎｆｉｇＡｐＤＣＩ−Ｆｏｒｍａｔ１ａ２ｂ２ｃは、ＤＣＩフォーマット１Ａ／２Ｂ／２Ｃを使用して、例えば、非周期的ＳＲＳのためにＲＲＣによって構成され得る。例では、ＳＲＳパラメータの３つの組ｓｒｓ−ＣｏｎｆｉｇＡｐＤＣＩ−Ｆｏｒｍａｔ４は、ＤＣＩフォーマット０および／または４を使用して、非周期的ＳＲＳのためにＲＲＣによって構成され得る。
【００７１】
非周期的ＳＲＳの構成パラメータのうちのいくつかは、ＲＲＣによって構成され得る。非周期的ＳＲＳは、ＵＥ特定のＤＣＩの中のＳＲＳ要求フィールドによってトリガされ得る。例えば、（ＦＤＤならびにＴＤＤのための）ＰＤＣＣＨ  ＤＣＩフォーマット０／４／１ＡおよびＴＤＤのためのＤＣＩフォーマット２Ｂ／２Ｃは、ＳＲＳ要求フィールドを含み得る。
【００７２】
例示的実施形態では、アップリンクＭＳＦＧ  ＤＣＩは、ＳＲＳ要求フィールドをさらに備え得る。ＳＲＳ要求（例えば、２ビット）は、非周期的サウンディング参照信号（ＳＲＳ）をトリガするために使用され得る。例では、ＳＲＳは、最大で３つの事前構成された設定のうちの１つを使用してトリガされ得る。例では、非周期的ＳＲＳトリガに対して、１ビットＳＲＳ要求フィールドが使用され得る。例では、ＤＣＩは、事前規定された構成テーブルに従って、３つの構成されたパラメータセットのうちのどれが使用されるべきかを示す２ビットＳＲＳ要求フィールドを含み得る。
【００７３】
例示的実施形態では、非周期的ＳＲＳは、ＵＥ特定のＤＣＩの中のＳＲＳ要求フィールドによってトリガされ得る。例えば、アップリンクＭＳＦＧ  ＤＣＩは、ＳＲＳ要求フィールドを含み得る。ＲＲＣ構成パラメータは、ＳＲＳトリガのためのＤＣＩの構成パラメータを備え得る。例えば、構成パラメータは、ＤＣＩにおけるＵＥのためのＤＣＩ要求フィールドのインデックスを含み得る。ＲＲＣ構成パラメータは、非周期的ＳＲＳ伝送のためのサブフレームを決定するために用いられる、非周期的ＳＲＳ時間ドメイン（サブフレーム）ＲＲＣ構成パラメータを備え得る。ＵＥがＳＲＳ要求を備えているＭＳＦＧ  ＤＣＩを受信すると、ＵＥは、マルチサブフレームアップリンクバーストの中で起こるＳＲＳサブフレーム機会においてＳＲＳを伝送し得る。ＳＲＳサブフレーム機会は、ＵＥ特定のＳＲＳ  ＲＲＣ構成パラメータに依存し得る。
【００７４】
無線デバイスは、認可支援アクセス（ＬＡＡ）セルのための構成パラメータを備えている１つ以上の無線リソース制御（ＲＲＣ）メッセージを受信し得る。構成パラメータは、非周期的サウンディング参照信号（ＳＲＳ）パラメータサブフレームを備え得る。例では、無線デバイスは、ＬＡＡセルの１つ以上の連続サブフレームの数でアップリンクリソースを示すＭＳＦＧ  ＤＣＩを受信し得る。ＤＣＩは、ＳＲＳ伝送をトリガし得る。ＤＣＩは、１つ以上の連続サブフレームの数を示すフィールドおよび／もしくは１つ以上のＬＢＴ構成パラメータ（例えば、ＬＢＴタイプ、ＬＢＴ優先クラス、および／またはＬＢＴシンボル）を備え得る。無線デバイスは、少なくとも部分的に非周期的ＳＲＳサブフレームパラメータに基づいて、１つ以上の連続サブフレームの中の第１のサブフレームの位置を決定し得る。無線デバイスは、第１のサブフレームにおいて、ＬＡＡセル上のＳＲＳを伝送し得る。無線デバイスは、無線デバイスが、ＬＢＴ構成に基づくＬＢＴプロシージャに従って、第１のサブフレームにおいて伝送することを可能にされる場合、第１のサブフレームにおいて、ＬＡＡセル上のＳＲＳを伝送し得る。非周期的ＳＲＳサブフレームパラメータは、ＭＳＦＧバーストの中の第１の（開始）スケジュールされたサブフレームからのオフセットを示し得る。例えば、第１のスケジュールされたサブフレームがサブフレームｎである場合、ＳＲＳは、サブフレームｎ＋オフセットの中で伝送される。例では、ＲＲＣ構成は、ＭＳＦＧ  ＤＣＩがＳＲＳ伝送をトリガするとき、ＭＳＦＧの開始サブフレームが非周期的ＳＲＳを含むことを示し得る。例では、ＲＲＣ構成は、ＭＳＦＧ  ＤＣＩがＳＲＳ伝送をトリガするとき、ＭＳＦＧの第２の（開始の次の）サブフレームが非周期的ＳＲＳを含むことを示し得る。例が、図１３に示されている。他の例が、提供され得る。
【００７５】
例示的実施形態は、ＭＳＦＧ  ＤＣＩが、非周期的ＳＲＳをトリガする要求フィールドを含むとき、ＳＲＳ信号を含むＭＳＦＧのサブフレームを決定するための効率的機構を提供する。ＬＡＡセルのための非周期的ＳＲＳ構成（トリガタイプ１）のためにＳＲＳサブフレームを構成することは、ｅＮＢが、ＳＲＳを含むＭＳＦＧバーストの中のサブフレームを半静的に通信することを可能にする。例示的実施形態は、ＵＥが開始（第１のスケジュールされた）ＭＳＦＧサブフレームからのＳＲＳサブフレームオフセットを決定することを可能にする。開始サブフレームは、ＤＣＩシグナリングを使用して、動的にシグナリングされる。この機構において、ＳＲＳサブフレームは、ＤＣＩタイミング、ＭＳＦＧバースト開始時間、半静的ＲＲＣ構成パラメータを使用して、動的に構成される。この機構は、ＭＳＦＧに関連付けられる各サブフレームのためにＳＲＳ位置フィールドおよび／またはトリガフィールドを含むことを回避し得、ＲＲＣシグナリングおよびＰＤＣＣＨオーバーヘッドを低減させ得る。例示的実施形態は、制御シグナリングオーバーヘッドを低減させることによって、ダウンリンクスペクトル効率を増進し得、ＳＲＳ伝送を含むＭＳＦＧバーストの中のサブフレームを決定することによって、アップリンク無線効率を増進し得る。ＭＳＦＧバーストの各サブフレーム内でＳＲＳを伝送する代わりに、ＳＲＳは、ＭＳＦＧバーストサブフレームのうちの１つの中で伝送される。
【００７６】
例では、サブフレーム＃ｎにおける肯定的ＳＲＳ要求の検出時に非周期的ＳＲＳ伝送のために構成されるＵＥは、少なくとも非周期的ＳＲＳ時間ドメイン（サブフレーム）無線リソース構成（ＲＲＣ）に基づいて、サブフレーム＃ｎ＋ｋ（例えば、ｋ≧４）を満たす第１のサブフレームにおいてＳＲＳ伝送を開始し得る。ＵＥがＳＲＳ要求を備えているＭＳＦＧ  ＤＣＩを受信すると、ＵＥは、ＭＳＦＧに関連付けられるサブフレームにおいて起こるＳＲＳサブフレーム機会においてＳＲＳを伝送し得る。
【００７７】
例では、ｅＮＢは、１つ以上のＬＡＡセルに対する非周期的ＳＲＳ要求をトリガする、ＤＣＩを伝送し得る。フレーム構造タイプ３上の非周期的ＳＲＳ伝送のために構成されるＵＥは、サブフレームｎにおける肯定的ＳＲＳ要求の検出時、ＳＲＳ時間ドメイン（サブフレーム）ＲＲＣ構成に基づいて、そのサブフレームがアップリンクＳＲＳ伝送のために利用可能である場合、サブフレーム＃ｎ＋ｋ（ｋ≧４）を満たす第１のサブフレームにおいてＳＲＳ伝送を開始し得る。ＵＥがＳＲＳ要求を備えているＭＳＦＧ  ＤＣＩを受信すると、ＵＥは、ＭＳＦＧバースト内で起こるＳＲＳサブフレーム機会においてＳＲＳを伝送し得る。アップリンクＳＲＳ伝送のためのサブフレーム／シンボルの利用可能性は、ＬＡＡアップリンクセルアクセス規則、例えば、ＬＢＴおよび／または最大ＣＯＴに基づいて、決定され得る。
【００７８】
例示的実施形態では、ＳＲＳ伝送サブフレームは、ＭＳＦＧ  ＤＣＩを介して動的に構成され得る。例示的実施形態では、ＤＣＩは、非周期的ＳＲＳ要求の伝送のためのＭＳＦＧバーストにおける特定のサブフレームを示し得る。例えば、ＳＲＳがトリガされるとき、ＳＲＳが、ＭＳＦＧバーストの中の開始サブフレーム（第１のスケジュールされたサブフレーム）に対するサブフレームオフセットによって識別されるサブフレームで伝送され得る。例では、ＤＣＩは、オフセットを示す３ビットフィールドを備え得る。
【００７９】
例示的実施形態では、無線デバイスは、認可支援アクセス（ＬＡＡ）セルのための構成パラメータを備えている１つ以上の無線リソース制御（ＲＲＣ）メッセージを受信し得る。構成パラメータは、１つ以上のサウンディング参照信号（ＳＲＳ）パラメータを備えている。無線デバイスは、ＬＡＡセルの１つ以上の連続サブフレームの数でアップリンクリソースを示すＭＳＦＧ  ＤＣＩを受信し得る。ＤＣＩは、非周期的ＳＲＳ伝送をトリガし得る。ＤＣＩは、１つ以上の連続サブフレームの数を示す第１のフィールド、および／もしくはＳＲＳの伝送のための１つ以上の連続サブフレームの中の第１のサブフレームの位置を示す第２のフィールド、ならびに／もしくはトーク前リッスン（ＬＢＴ）構成を示す第３のフィールドを備え得る。第２のフィールドは、ＭＳＦＧバーストの中の第１の（開始）スケジュールされたサブフレームからのオフセットを示し得る。例えば、第１のスケジュールされたサブフレームがサブフレームｎである場合、ＳＲＳは、サブフレームｎ＋オフセットにおいて伝送される。第２のフィールドは、ＭＳＦＴバースト（１つ以上の連続サブフレーム）の中の第１の（開始）スケジュールされたサブフレームからのオフセットを示し得る。無線デバイスは、ＬＡＡセル上で、第１のサブフレームにおいて、ＳＲＳを伝送し得る。無線デバイスは、無線デバイスが、ＬＢＴ構成に基づくＬＢＴプロシージャに従って、第１のサブフレームにおいて伝送することを可能にされる場合、ＬＡＡセル上で、第１のサブフレームにおいて、ＳＲＳを伝送し得る。例が、図１２に示されている。ＭＳＦＧ  ＤＣＩは、少なくとも部分的にＳＲＳのための伝送電力を計算するために用いられる伝送電力制御（ＴＰＣ）コマンドをさらに備え得る。
【００８０】
例示的実施形態は、ＭＳＦＧ  ＤＣＩが非周期的ＳＲＳをトリガするとき、ＳＲＳ信号を含むＭＳＦＧのサブフレームを決定するための効率的機構を提供する。ｅＮＢは、ＭＳＦＧバーストの異なるサブフレームの各々のために、ＭＳＦＧ  ＤＣＩ内で複数のＳＲＳ要求フィールドを伝送する必要がない。例示的実施形態は、ＵＥが開始ＭＳＦＧサブフレームからＳＲＳサブフレームオフセットを決定することを可能にする。この機構は、ＭＳＦＧに関連付けられる各サブフレームに１つずつ、ＭＳＦＧ  ＤＣＩの中に複数のＳＲＳフィールドを含むことを要求しないこともある。例示的実施形態は、ＤＣＩおよびＰＤＣＣＨシグナリングオーバーヘッドのサイズを縮小し得る。例示的実施形態は、制御シグナリングオーバーヘッドを低減させることによって、ダウンリンクスペクトル効率を増進し得、ＳＲＳ伝送を含むサブフレームを決定することによって、アップリンク無線効率を増進し得る。例示的実施形態は、ＵＥが開始（第１のスケジュールされた）ＭＳＦＧサブフレームからＳＲＳサブフレームオフセットを決定することを可能にする。ＭＳＦＧ開始サブフレームおよびＳＲＳサブフレームオフセットは、ＤＣＩシグナリングを使用して動的にシグナリングされる。この機構において、ＳＲＳサブフレームは、ＤＣＩシグナリングおよびＭＳＦＧバースト開始シンボルを使用して、動的に構成される。
【００８１】
例示的実施形態では、ＵＥは、第１のＳＲＳ機会が利用不可能である場合、チャネルアクセスを再試行してＳＲＳを送信しないこともある。ＵＥは、チャネルが利用不可能であることをＬＢＴが示す場合、ＳＲＳトリガ要求をキャンセルし得る。ＵＥは、ｅＮＢから新しいＳＲＳトリガを受信し、ＳＲＳ伝送のためにＬＢＴプロセスを開始し得る。
【００８２】
ＤＣＩ上でＳＲＳトリガを受信すると、１つ以上の標的ＵＥは、第１の適用可能なＳＲＳ伝送機会（例えば、トリガを受信した後の４つのサブフレーム）のための構成されたＬＢＴパラメータを通してチャネル利用可能性をチェックし得る。チャネルが利用可能であることを見出す、これらのＵＥは、続行し、ＳＲＳを送信し得る。例では、チャネルがビジーであることを見出すＵＥに対して、ＵＥは、新しいＳＲＳトリガがｅＮＢによって送信されるまで、構成されたＳＲＳ伝送をドロップし得る。例では、ＳＲＳは、アップリンクＭＳＦＧバーストの中で伝送され得、ＬＢＴは、アップリンクＭＳＦＧバーストのために実施され得、いかなるＬＢＴも、ＳＲＳ伝送のみのために要求されないこともある。
【００８３】
実施形態では、単一のＳＲＳが、終了部分ダウンリンクサブフレームに続く部分アップリンクサブフレームのために、ｅＮＢによってトリガされ得る。そのようなサブフレームは、ｅＮＢが、ＬＡＡセルのアップリンクにおいてスケジュールされ得る１つまたは複数のＵＥからＳＲＳフィードバックを取得するための機会を提供し得る。ＵＥは、構成された場合、たとえ部分サブフレームがＳＲＳサブフレームと一致しなくても、部分サブフレームにおいてＳＲＳを伝送し得る。ＤＣＩベースのＳＲＳトリガを通して可能にされ得るそのような伝送タイミングは、ＲＲＣによって構成されるそれらへの追加であり得る。
【００８４】
例示的実施形態では、ｅＮＢは、ダウンリンク終了部分サブフレームの終了後に１つ以上のＵＥのＳＲＳ伝送をトリガするためのＳＲＳ要求フィールドを備えているＤＣＩを伝送し得る。一例示的実施形態では、そのような部分アップリンクサブフレーム上のＵＥの伝送は、完全サブフレームのように同じシンボル上でＳＲＳを伝送し得る。例では、所与のアップリンクサブフレームは、複数のＭ個の利用可能なシンボルを有し得、複数のＵＥは、複数のシンボル上でＳＲＳを伝送し得る。この機構は、例えば、ＳＲＳ伝送の間のある周波数ホッピングを用いて、ＵＥが、部分アップリンクサブフレームの最後のＭ個のシンボル上でＳＲＳを伝送するときに実装され得る。複数のＵＥは、Ｍ個のグループにグループ化され得、グループは、アップリンク部分サブフレームの最後のＭ個のシンボルのうちの１つの上でＳＲＳを伝送する。
【００８５】
例では、スケジュールされたマルチサブフレームＵＬ許可の持続時間内に複数のＳＲＳ機会がある場合、ＳＲＳは、スケジュールされたサブフレームの持続時間内の最も早いＳＲＳ機会において、一度伝送され得る。この機構は、ｅＮＢが最も早い機会においてＳＲＳを受信することを可能にし得る。ｅＮＢは、ＳＲＳを処理し、チャネル推定および／またはアップリンク伝送タイミングについての情報を取得し得る。ｅＮＢは、ＵＥに対応するダウンリンク／アップリンク伝送のためのリソースをスケジュールするために情報を使用し得る。
【００８６】
例では、スケジュールされたマルチサブフレームＵＬ許可の持続時間内に複数のＳＲＳ機会がある場合、ＳＲＳは、スケジュールされたサブフレームの持続時間内の最も遅いＳＲＳ機会において、一度伝送され得る。この機構は、ｅＮＢが（第１のＳＲＳ機会と比較して）より後にＳＲＳを受信することを可能にし得る。この機構は、アップリンクチャネル条件および／またはアップリンクタイミングについての最新情報をｅＮＢに提供し得る。ｅＮＢは、後続のアップリンクおよび／またはダウンリンク許可にこの情報を用い得る。
【００８７】
種々の実施形態によると、例えば、無線デバイス、基地局等のデバイスは、１つ以上のプロセッサと、メモリとを備え得る。メモリは、１つ以上のプロセッサによって実行されると、デバイスに一連のアクションを実施させる命令を記憶し得る。例示的アクションの実施形態が、付随する図および明細書に図示される。
【００８８】
図１４は、本開示の実施形態の側面による、例示的フロー図である。１４１０において、無線デバイスは、認可支援アクセス（ＬＡＡ）セルのための構成パラメータを備えている１つ以上の無線リソース制御（ＲＲＣ）メッセージを受信し得る。構成パラメータは、１つ以上のサウンディング参照信号（ＳＲＳ）パラメータを備え得る。１４２０において、無線デバイスは、ＬＡＡセルの１つ以上の連続サブフレームの数でアップリンクリソースを示すダウンリンク制御情報（ＤＣＩ）を受信し得る。ＤＣＩは、１つ以上の連続サブフレームの数を示す第１のフィールドと、ＳＲＳの伝送のための１つ以上の連続サブフレームの中の第１のサブフレームの位置を示す第２のフィールドと、トーク前リッスン（ＬＢＴ）構成を示す第３のフィールドとを備え得る。１４３０において、無線デバイスは、無線デバイスが、ＬＢＴ構成に基づくＬＢＴプロシージャに従って、第１のサブフレームにおいて伝送することを可能にされる場合、ＬＡＡセル上で、第１のサブフレームにおいて、ＳＲＳを伝送し得る。
【００８９】
ＳＲＳは、例えば、第１のサブフレームの２つ以上のシンボルの中で伝送され得る。１つ以上のＳＲＳパラメータは、例えば、非周期的ＳＲＳ構成パラメータを備え得る。ＳＲＳは、例えば、第１のサブフレームの最後のシンボルの中で伝送され得る。第２のフィールドは、例えば、１つ以上の連続サブフレームのうちの開始サブフレームからのオフセットを示し得る。ＤＣＩは、例えば、１つ以上の連続サブフレームにおけるＳＲＳ伝送がトリガされるかどうかを示し得る。１つ以上のＳＲＳパラメータは、例えば、１つ以上の共通ＳＲＳパラメータと、１つ以上の専用ＳＲＳパラメータとを備え得る。ある実施形態によると、無線デバイスは、第１のサブフレーム内で１つ以上のトランスポートブロックをさらに伝送し得る。ＳＲＳは、例えば、第１のサブフレームの最後のシンボルの中で伝送され得る。ＤＣＩは、例えば、少なくとも部分的に、ＳＲＳのための伝送電力を計算するために用いられる伝送電力制御（ＴＰＣ）コマンドをさらに備え得る。
【００９０】
図１５は、本開示の実施形態の側面による、例示的フロー図である。１５１０において、基地局は、認可支援アクセス（ＬＡＡ）セルの１つ以上の連続サブフレームの数でアップリンクリソースを示すダウンリンク制御情報（ＤＣＩ）を伝送し得る。ＤＣＩは、１つ以上の連続サブフレームの数を示す第１のフィールドと、ＳＲＳの伝送のための１つ以上の連続サブフレームの中の第１のサブフレームの位置を示す第２のフィールドとを備え得る。１５２０において、基地局は、第１のサブフレームにおいて、ＬＡＡセル上のＳＲＳを受信し得る。ＳＲＳは、例えば、第１のサブフレームの最後のシンボルの中で受信され得る。
【００９１】
図１６は、本開示の実施形態の側面による、例示的フロー図である。１６１０において、無線デバイスは、１つ以上のサブフレームにおけるアップリンクリソースを示すダウンリンク制御情報（ＤＣＩ）を受信し得る。ＤＣＩは、サウンディング参照信号（ＳＲＳ）の伝送のための１つ以上のサブフレームにおけるサブフレームの位置を示すフィールドを備え得る。１６２０において、無線デバイスは、そのサブフレーム内でＳＲＳを伝送し得る。ＤＣＩは、例えば、サウンディング参照信号（ＳＲＳ）伝送をトリガし得る。ＤＣＩは、例えば、１つ以上のサブフレームの数を示す第２のフィールドを備え得る。
【００９２】
図１７は、本開示の実施形態の側面による、例示的フロー図である。１７１０において、基地局は、１つ以上のサブフレームにおけるアップリンクリソースを示すダウンリンク制御情報（ＤＣＩ）を伝送し得る。ＤＣＩは、サウンディング参照信号（ＳＲＳ）の伝送のための１つ以上のサブフレームにおけるサブフレームの位置を示すフィールドを備え得る。１７２０において、基地局は、サブフレーム内でＳＲＳを受信し得る。ＤＣＩは、例えば、サウンディング参照信号（ＳＲＳ）伝送をトリガし得る。ＤＣＩは、例えば、１つ以上のサブフレームの数を示す第２のフィールドを備え得る。
【００９３】
図１８は、本開示の実施形態の側面による、例示的フロー図である。１８１０において、無線デバイスは、認可支援アクセス（ＬＡＡ）セルのための構成パラメータを備えている１つ以上の無線リソース制御（ＲＲＣ）メッセージを受信し得る。構成パラメータは、非周期的サウンディング参照信号（ＳＲＳ）サブフレームパラメータを備え得る。１８２０において、無線デバイスは、ＬＡＡセルの１つ以上の連続サブフレームの数でアップリンクリソースを示すダウンリンク制御情報（ＤＣＩ）を受信し得る。ＤＣＩは、ＳＲＳ伝送をトリガし得、１つ以上の連続サブフレームの数と、トーク前リッスン（ＬＢＴ）構成とを備え得る。１８３０において、無線デバイスは、少なくとも部分的に非周期的ＳＲＳサブフレームパラメータに基づいて、１つ以上の連続サブフレームの中の第１のサブフレームの位置を決定し得る。１８４０において、無線デバイスは、無線デバイスが、ＬＢＴ構成に基づくＬＢＴプロシージャに従って、第１のサブフレームにおいて伝送することを可能にされる場合、第１のサブフレームにおいて、ＬＡＡセル上のＳＲＳを伝送し得る。
【００９４】
ＳＲＳは、例えば、第１のサブフレームの２つ以上のシンボルの中で伝送され得る。ＤＣＩは、例えば、ＳＲＳ伝送がトリガされるかどうかを示すフィールドをさらに備え得る。ＳＲＳは、例えば、第１のサブフレームの最後のシンボルの中で伝送され得る。非周期的ＳＲＳサブフレームパラメータは、例えば、１つ以上の連続サブフレームのうちの開始サブフレームからのオフセットを示し得る。ＬＢＴ構成は、例えば、シンボル時間間隔がＬＢＴプロシージャに用いられることを示し得る。構成パラメータは、例えば、１つ以上の共通ＳＲＳパラメータと、１つ以上の専用ＳＲＳパラメータとを備え得る。無線デバイスは、例えば、第１のサブフレーム内で１つ以上のトランスポートブロックをさらに伝送し得る。構成パラメータは、例えば、ＳＲＳ帯域幅を備え得る。ＤＣＩは、例えば、少なくとも部分的に、ＳＲＳのための伝送電力を計算するために用いられる伝送電力制御（ＴＰＣ）コマンドをさらに備え得る。
【００９５】
図１９は、本開示の実施形態の側面による、例示的フロー図である。１９１０において、基地局は、認可支援アクセス（ＬＡＡ）セルのための構成パラメータを備えている１つ以上の無線リソース制御（ＲＲＣ）メッセージを伝送し得る。構成パラメータは、非周期的サウンディング参照信号（ＳＲＳ）サブフレームパラメータを備え得る。１９２０において、基地局は、ＬＡＡセルの１つ以上の連続サブフレームの数でアップリンクリソースを示すダウンリンク制御情報（ＤＣＩ）を伝送し得る。ＤＣＩは、ＳＲＳ伝送をトリガし得、１つ以上の連続サブフレームの数を示すフィールドを備え得る。１９３０において、基地局は、第１のサブフレームにおいて、ＬＡＡセル上のＳＲＳを受信し得、１つ以上の連続サブフレームの中の第１のサブフレームの位置は、少なくとも非周期的ＳＲＳサブフレームパラメータの値に依存する。ＤＣＩは、少なくとも部分的に、例えば、ＳＲＳのための伝送電力を計算するために用いられる伝送電力制御（ＴＰＣ）コマンドをさらに備え得る。
【００９６】
図２０は、本開示の実施形態の側面による、例示的フロー図である。２０１０において、無線デバイスは、非周期的ＳＲＳサブフレームパラメータを備えている１つ以上のＲＲＣメッセージを受信し得る。２０２０において、無線デバイスは、ＳＲＳ伝送をトリガし、１つ以上のサブフレームにおけるアップリンクリソースを示すＤＣＩを受信し得る。２０３０において、無線デバイスは、少なくとも部分的に非周期的ＳＲＳサブフレームパラメータに基づいて、１つ以上のサブフレームにおけるあるサブフレームの位置を決定し得る。２０４０において、無線デバイスは、そのサブフレーム内でＳＲＳを伝送し得る。ＲＲＣメッセージは、例えば、ＬＡＡセルのための構成パラメータを備え得る。ＤＣＩは、例えば、１つ以上のサブフレームの数を示すフィールドを備え得る。
【００９７】
図２１は、本開示の実施形態の側面による、例示的フロー図である。２１１０において、基地局は、非周期的ＳＲＳサブフレームパラメータを備えている１つ以上のＲＲＣメッセージを伝送し得る。２１２０において、基地局は、ＳＲＳ伝送をトリガし、１つ以上のサブフレームにおけるアップリンクリソースを示すＤＣＩを伝送し得る。２１３０において、基地局は、少なくとも部分的に非周期的ＳＲＳサブフレームパラメータに基づいて、１つ以上のサブフレームにおけるあるサブフレームの位置を決定し得る。２１４０において、基地局は、サブフレーム内でＳＲＳを受信し得る。ＲＲＣメッセージは、例えば、ＬＡＡセルのための構成パラメータを備え得る。ＤＣＩは、例えば、１つ以上のサブフレームの数を示すフィールドを備え得る。
【００９８】
図２２は、本開示の実施形態の側面による、例示的フロー図である。２２１０において、無線デバイスは、非周期的ＳＲＳサブフレームパラメータを備えている１つ以上のＲＲＣメッセージを受信し得る。２２２０において、無線デバイスは、ＳＲＳ伝送をトリガし、１つ以上のサブフレームにおけるアップリンクリソースを示すＤＣＩを受信し得る。２２３０において、無線デバイスは、サブフレーム内でＳＲＳを伝送し得、１つ以上のサブフレームにおけるあるサブフレームの位置は、少なくとも部分的に、非周期的ＳＲＳサブフレームパラメータに基づく。
【００９９】
図２３は、本開示の実施形態の側面による、例示的フロー図である。２３１０において、基地局は、非周期的ＳＲＳサブフレームパラメータを備えている１つ以上のＲＲＣメッセージを伝送し得る。２３２０において、基地局は、ＳＲＳ伝送をトリガし、１つ以上のサブフレームにおけるアップリンクリソースを示すＤＣＩを伝送し得る。２３３０において、基地局は、サブフレーム内でＳＲＳを受信し得る。１つ以上のサブフレームにおけるあるサブフレームの位置は、少なくとも部分的に、非周期的ＳＲＳサブフレームパラメータに基づいて決定される。
【０１００】
本明細書において、「ａ」および「ａｎ」ならびに類似語句は、「少なくとも１つ」ならびに「１つ以上の」として解釈されるものである。本明細書において、用語「ｍａｙ（〜し得る）」は、「ｍａｙ，ｆｏｒ  ｅｘａｍｐｌｅ（例えば、〜し得る）」として解釈されるものである。換言すると、用語「ｍａｙ（〜し得る）」は、用語「ｍａｙ（〜し得る）」に続く語句が、種々の実施形態のうちの１つ以上のものに用いられる場合もあり、されない場合もある、多数の好適な可能性のうちの１つの例であることを示す。ＡおよびＢがセットであり、Ａの全要素がＢの要素でもある場合、Ａは、Ｂのサブセットと呼ばれる。本明細書において、非空の組およびサブセットのみが、考慮される。例えば、Ｂ＝｛セル１、セル２｝の可能なサブセットは、｛セル１｝、｛セル２｝、および｛セル１、セル２｝である。
【０１０１】
本明細書において、パラメータ（情報要素：ＩＥ）は、１つ以上のオブジェクトを含み得、それらのオブジェクトの各々は、１つ以上の他のオブジェクトを含み得る。例えば、パラメータ（ＩＥ）Ｎが、パラメータ（ＩＥ）Ｍを含み、パラメータ（ＩＥ）Ｍが、パラメータ（ＩＥ）Ｋを含み、パラメータ（ＩＥ）Ｋが、パラメータ（情報要素）Ｊを含む場合、例えば、Ｎは、Ｋを含み、Ｎは、Ｊを含む。例示的実施形態では、１つ以上のメッセージが、複数のパラメータを含むとき、複数のパラメータの中のパラメータは、１つ以上のメッセージのうちの少なくとも１つの中に存在するが、１つ以上のメッセージの各々において存在する必要はないことを含意する。
【０１０２】
開示される実施形態に説明される要素の多くは、モジュールとして実装され得る。モジュールは、定義された機能を果たし、他の要素への定義されたインターフェースを有する、分離可能要素として本明細書で定義される。本開示に説明されるモジュールは、ハードウェア、ハードウェア、ファームウェア、ウェットウエア（すなわち、生物学的要素を伴うハードウェア）と組み合わせたソフトウェア、またはそれらの組み合わせで実装され得、それらは全て、挙動的均等物である。例えば、モジュールは、ハードウェアマシン（Ｃ、Ｃ＋＋、Ｆｏｒｔｒａｎ、Ｊａｖａ（登録商標）、ＢＡＳＩＣ、Ｍａｔｌａｂ、もしくは同等物等）またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔ等のモデル化／シミュレーションプログラムによって実行されるように構成される、コンピュータ言語で書かれたソフトウェアルーチンとして実装され得る。加えて、個別的な、またはプログラ可能なアナログ、デジタル、および／または量子ハードウェアを組み込む物理ハードウェアを使用して、モジュールを実装することが可能であり得る。プログラマブルハードウェアの例は、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）を備えている。コンピュータ、マイクロコントローラ、およびマイクロプロセッサは、アセンブリ、Ｃ、Ｃ＋＋等の言語を使用してプログラムされる。ＦＰＧＡ、ＡＳＩＣ、およびＣＰＬＤは、多くの場合、プログラマブルデバイス上のより少ない機能性を用いて内部ハードウェアモジュール間の接続を構成する、ＶＨＳＩＣハードウェア記述言語（ＶＨＤＬ）またはＶｅｒｉｌｏｇ等のハードウェア記述言語（ＨＤＬ）を使用してプログラムされる。最後に、上記の技術は、多くの場合、機能モジュールの結果を達成するために組み合わせて使用されることを強調する必要がある。
【０１０３】
本特許文書の開示は、著作権保護を受ける内容を組み込む。著作権所有者は、特許文書または特許開示書のいずれか１つによるファクシミリ複写物に、法律によって要求される限定された目的のために、複写物が特許商標庁の特許ファイルまたは記録として世に出現している限り異論はないが、他の場合に全ての著作権を完全に留保する。
【０１０４】
種々の実施形態が上記で説明されているが、それらは、限定ではなく、例として提示されていることを理解されたい。形態および詳細の種々の変更が、精神ならびに範囲から逸脱することなく本明細書で行われ得ることが、当業者に明白となるであろう。実際、上記説明を熟読後、代替実施形態を実装する方法が、当業者に明白となるであろう。したがって、本実施形態は、上記の例示的実施形態のうちのいずれかによって限定されるべきではない。具体的に、例示的目的のために、上記説明は、ＦＤＤ通信システムを使用する例に焦点を当てていることに留意されたい。しかしながら、当業者は、本開示の実施形態がまた、１つ以上のＴＤＤセルを備えているシステム（例えば、フレーム構造２および／またはフレーム構造３認可支援アクセス）で実装され得ることを認識するであろう。開示される方法およびシステムは、無線または有線システムで実装され得る。本開示で提示される種々の実施形態の特徴は、組み合わせられ得る。一実施形態の１つまたは多くの特徴（方法もしくはシステム）は、他の実施形態で実装され得る。限定数の例示的組み合わせのみが、強化伝送および受信システムならびに方法を作成するように種々の実施形態で組み合わせられ得る、特徴の可能性を当業者に示すために示される。
【０１０５】
加えて、機能性および利点を強調する任意の図が、例示目的のためのみに提示されていることを理解されたい。開示されるアーキテクチャは、示されるもの以外の方法で利用され得るように、十分に柔軟かつ構成可能である。例えば、任意のフローチャートに列挙されるアクションは、いくつかの実施形態では、並べ替えられ得る、または随意にのみ使用され得る。
【０１０６】
さらに、本開示の要約の目的は、米国特許商標庁および一般公衆、特に、特許または法律の用語もしくは表現に精通していない科学者、技術者、および開業医が、本願の技術的開示の性質ならびに本質を大まかに調べることによって、素早く判断することを可能にすることである。本開示の要約は、いかようにも範囲に関して限定的であることを意図していない。
【０１０７】
最後に、「〜する手段（ｍｅａｎｓ  ｆｏｒ）」または「〜するためのステップ（ｓｔｅｐ  ｆｏｒ）」という表現用語を含む請求項のみが、米国特許法（３５Ｕ．Ｓ．Ｃ）第１１２条の下で解釈されることは、本出願人の意図である。「〜する手段（ｍｅａｎｓ  ｆｏｒ）」または「〜するためのステップ（ｓｔｅｐ  ｆｏｒ）」という語句を明示的に含まない請求項は、米国特許法（３５Ｕ．Ｓ．Ｃ）第１１２条の下で解釈されないものである。
【図１】
2019515528.tif 000003
【図２】
2019515528.tif 000004
【図３】
2019515528.tif 000005
【図４】
2019515528.tif 000006
【図５】
2019515528.tif 000007
【図６】
2019515528.tif 000008
【図７】
2019515528.tif 000009
【図８】
2019515528.tif 000010
【図９】
2019515528.tif 000011
【図１０】
2019515528.tif 000012
【図１１】
2019515528.tif 000013
【図１２】
2019515528.tif 000014
【図１３】
2019515528.tif 000015
【図１４】
2019515528.tif 000016
【図１５】
2019515528.tif 000017
【図１６】
2019515528.tif 000018
【図１７】
2019515528.tif 000019
【図１８】
2019515528.tif 000020
【図１９】
2019515528.tif 000021
【図２０】
2019515528.tif 000022
【図２１】
2019515528.tif 000023
【図２２】
2019515528.tif 000024
【図２３】
2019515528.tif 000025
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
方法であって、前記方法は、
無線デバイス（４０６）によって、認可支援アクセス（ＬＡＡ）セルの複数のスケジュールされた連続サブフレームにおけるアップリンクリソースを示すダウンリンク制御情報ＤＣＩを受信することであって、前記ＤＣＩは、サウンディング参照信号ＳＲＳの伝送をトリガし、前記ＤＣＩは、
前記複数のスケジュールされた連続サブフレームの数を示す第１のフィールドと、
前記複数のスケジュールされた連続サブフレームのうちの前記ＳＲＳの伝送のためのサブフレームを示す第２のフィールドと
を備えている、ことと、
前記ＬＡＡセルの前記サブフレーム内で前記ＳＲＳを伝送することと
を含む、方法。
【請求項２】
前記ＳＲＳは、前記サブフレームの２つ以上のシンボルの中で伝送される、請求項１に記載の方法。
【請求項３】
前記第２のフィールドは、前記複数のスケジュールされた連続サブフレームのうちの開始サブフレームからの前記サブフレームのオフセットをさらに示す、請求項１または２に記載の方法。
【請求項４】
前記ＤＣＩは、トーク前リッスンＬＢＴパラメータを示す第３のフィールドを備え、
前記ＳＲＳは、前記無線デバイス（４０６）が少なくとも前記第３のフィールドに基づくＬＢＴプロシージャに従って前記サブフレームにおいて伝送することを可能にされることに応答して、前記サブフレームにおいて伝送される、請求項１−３のいずれかに記載の方法。
【請求項５】
方法であって、前記方法は、
基地局（４０１）によって、認可支援アクセス（ＬＡＡ）セルの複数のスケジュールされた連続サブフレームにおけるアップリンクリソースを示すダウンリンク制御情報ＤＣＩを伝送することであって、前記ＤＣＩは、サウンディング参照信号ＳＲＳの伝送をトリガし、前記ＤＣＩは、
前記複数のスケジュールされた連続サブフレームの数を示す第１のフィールドと、
前記複数のスケジュールされた連続サブフレームのうちの前記ＳＲＳの伝送のためのサブフレームを示す第２のフィールドと
を備えている、ことと、
前記ＬＡＡセルの前記サブフレーム内で前記ＳＲＳを受信することと
を含む、方法。
【請求項６】
前記ＳＲＳは、前記サブフレームの２つ以上のシンボルの中で受信される、請求項５に記載の方法。
【請求項７】
前記第２のフィールドは、前記複数のスケジュールされた連続サブフレームのうちの開始サブフレームからの前記サブフレームのオフセットをさらに示す、請求項５または６に記載の方法。
【請求項８】
前記ＤＣＩは、トーク前リッスンＬＢＴパラメータを示す第３のフィールドを備え、
前記ＳＲＳは、前記基地局（４０１）が少なくとも前記第３のフィールドに基づくＬＢＴプロシージャに従って前記サブフレームにおいて伝送することを可能にすることに応答して、前記サブフレームにおいて受信される、請求項５−７のいずれかに記載の方法。
【請求項９】
無線デバイス（４０６）であって、前記無線デバイスは、
１つ以上のプロセッサ（４０８）と、
命令（４１０）を記憶しているメモリ（４０９）と
を備え、
前記命令（４１０）は、前記１つ以上のプロセッサ（４０８）によって実行されると、
認可支援アクセス（ＬＡＡ）セルの複数のスケジュールされた連続サブフレームにおけるアップリンクリソースを示すダウンリンク制御情報ＤＣＩを受信することであって、前記ＤＣＩは、サウンディング参照信号ＳＲＳの伝送をトリガし、前記ＤＣＩは、
前記複数のスケジュールされた連続サブフレームの数を示す第１のフィールドと、
前記複数のスケジュールされた連続サブフレームのうちの前記ＳＲＳの伝送のためのサブフレームを示す第２のフィールドと
を備えている、ことと、
前記ＬＡＡセルの前記サブフレーム内で前記ＳＲＳを伝送することと
を前記無線デバイス（４０６）に行わせる、無線デバイス（４０６）。
【請求項１０】
前記ＳＲＳは、前記サブフレームの２つ以上のシンボルの中で伝送される、請求項９に記載の無線デバイス（４０６）。
【請求項１１】
前記第２のフィールドは、前記複数のスケジュールされた連続サブフレームのうちの開始サブフレームからの前記サブフレームのオフセットをさらに示す、請求項９または１０に記載の無線デバイス（４０６）。
【請求項１２】
前記ＤＣＩは、トーク前リッスンＬＢＴパラメータを示す第３のフィールドを備え、
前記ＳＲＳは、前記無線デバイス（４０６）が少なくとも前記第３のフィールドに基づくＬＢＴプロシージャに従って前記サブフレームにおいて伝送することを可能にされることに応答して、前記サブフレームにおいて伝送される、請求項９−１１のいずれかに記載の無線デバイス（４０６）。
【請求項１３】
基地局（４０１）であって、前記基地局は、
１つ以上のプロセッサ（４０３）と、
命令（４０５）を記憶しているメモリ（４０４）と
を備え、
前記命令（４０５）は、前記１つ以上のプロセッサ（４０３）によって実行されると、
認可支援アクセス（ＬＡＡ）セルの複数のスケジュールされた連続サブフレームにおけるアップリンクリソースを示すダウンリンク制御情報ＤＣＩを送信することであって、前記ＤＣＩは、サウンディング参照信号ＳＲＳの伝送をトリガし、前記ＤＣＩは、
前記複数のスケジュールされた連続サブフレームの数を示す第１のフィールドと、
前記複数のスケジュールされた連続サブフレームのうちの前記ＳＲＳの伝送のためのサブフレームを示す第２のフィールドと
を備えている、ことと、
前記ＬＡＡセルの前記サブフレーム内で前記ＳＲＳを受信することと
を前記基地局（４０１）に行わせる、基地局（４０１）。
【請求項１４】
前記ＳＲＳは、前記サブフレームの２つ以上のシンボルの中で受信される、請求項１３に記載の基地局（４０１）。
【請求項１５】
前記第２のフィールドは、前記複数のスケジュールされた連続サブフレームのうちの開始サブフレームからの前記サブフレームのオフセットをさらに示す、請求項１３または１４に記載の基地局（４０１）。
【手続補正２】
【補正対象書類名】明細書
【補正対象項目名】０００４
【補正方法】変更
【補正の内容】
【０００４】
本開示の例示的実施形態は、種々の物理層変調および伝送機構を使用して実装され得る。例示的伝送機構は、ＣＤＭＡ、ＯＦＤＭ、ＴＤＭＡ、ウェーブレット技術等を含み得るが、それらに限定されない。ＴＤＭＡ／ＣＤＭＡおよびＯＦＤＭ／ＣＤＭＡ等のハイブリッド伝送機構も、用いられ得る。種々の変調スキームが、物理層における信号伝送のために適用され得る。変調スキームの例は、位相、振幅、コード、これらの組み合わせ等を含み得るが、それらに限定されない。例示的無線伝送方法は、ＢＰＳＫ、ＱＰＳＫ、１６−ＱＡＭ、６４−ＱＡＭ、２５６−ＱＡＭ等を使用して、ＱＡＭを実装し得る。物理無線伝送は、伝送要件および無線条件に応じて変調およびコーディングスキームを動的または半動的に変化させることによって、強化され得る。
本発明はさらに、例えば、以下を提供する。
（項目１）
方法であって、前記方法は、
無線デバイスによって、認可支援アクセス（ＬＡＡ）セルのための構成パラメータを備えている１つ以上の無線リソース制御（ＲＲＣ）メッセージを受信することであって、前記構成パラメータは、１つ以上のサウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、
前記１つ以上の連続サブフレームの前記数を示す第１のフィールドと、
ＳＲＳの伝送のための前記１つ以上の連続サブフレームの中の第１のサブフレームの位置を示す第２のフィールドと、
トーク前リッスン（ＬＢＴ）構成を示す第３のフィールドと
を備えている、ことと、
前記無線デバイスが、前記ＬＢＴ構成に基づくＬＢＴプロシージャに従って、前記第１のサブフレームにおいて伝送することを可能にされる場合、前記ＬＡＡセル上で、前記第１のサブフレームにおいて、前記ＳＲＳを伝送することと
を含む、方法。
（項目２）
前記ＳＲＳは、前記第１のサブフレームの２つ以上のシンボルの中で伝送される、項目１に記載の方法。
（項目３）
前記１つ以上のＳＲＳパラメータは、非周期的ＳＲＳ構成パラメータを備えている、項目１に記載の方法。
（項目４）
前記ＳＲＳは、前記第１のサブフレームの最後のシンボルの中で伝送される、項目１に記載の方法。
（項目５）
前記第２のフィールドは、前記１つ以上の連続サブフレームのうちの開始サブフレームからのオフセットを示す、項目１に記載の方法。
（項目６）
前記ＤＣＩは、前記１つ以上の連続サブフレームにおけるＳＲＳ伝送がトリガされるかどうかを示す、項目１に記載の方法。
（項目７）
前記１つ以上のＳＲＳパラメータは、１つ以上の共通ＳＲＳパラメータと、１つ以上の専用ＳＲＳパラメータとを備えている、項目１に記載の方法。
（項目８）
前記第１のサブフレーム内で１つ以上のトランスポートブロックを伝送することをさらに含む、項目１に記載の方法。
（項目９）
前記構成パラメータは、ＳＲＳ帯域幅を備えている、項目１に記載の方法。
（項目１０）
前記ＤＣＩは、少なくとも部分的に前記ＳＲＳのための伝送電力を計算するために用いられる伝送電力制御（ＴＰＣ）コマンドをさらに備えている、項目１に記載の方法。
（項目１１）
無線デバイスであって、前記無線デバイスは、
１つ以上のプロセッサと、
命令を記憶しているメモリと
を備え、
前記命令は、前記１つ以上のプロセッサによって実行されると、
認可支援アクセス（ＬＡＡ）セルのための構成パラメータを備えている１つ以上の無線リソース制御（ＲＲＣ）メッセージを受信することであって、前記構成パラメータは、１つ以上のサウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、
前記１つ以上の連続サブフレームの前記数を示す第１のフィールドと、
ＳＲＳの伝送のための前記１つ以上の連続サブフレームの中の第１のサブフレームの位置を示す第２のフィールドと、
トーク前リッスン（ＬＢＴ）構成を示す第３のフィールドと
を備えている、ことと、
前記無線デバイスが、前記ＬＢＴ構成に基づくＬＢＴプロシージャに従って、前記第１のサブフレームにおいて伝送することを可能にされる場合、前記ＬＡＡセル上で、前記第１のサブフレームにおいて、前記ＳＲＳを伝送することと
を前記無線デバイスに行わせる、無線デバイス。
（項目１２）
前記ＳＲＳは、前記第１のサブフレームの２つ以上のシンボルの中で伝送される、項目１１に記載の無線デバイス。
（項目１３）
前記１つ以上のＳＲＳパラメータは、非周期的ＳＲＳ構成パラメータを備えている、項目１１に記載の無線デバイス。
（項目１４）
前記ＳＲＳは、前記第１のサブフレームの最後のシンボルの中で伝送される、項目１１に記載の無線デバイス。
（項目１５）
前記第２のフィールドは、前記１つ以上の連続サブフレームのうちの開始サブフレームからのオフセットを示す、項目１１に記載の無線デバイス。
（項目１６）
前記ＤＣＩは、前記１つ以上の連続サブフレームにおけるＳＲＳ伝送がトリガされるかどうかを示す、項目１１に記載の無線デバイス。
（項目１７）
前記少なくとも１つのＳＲＳ構成パラメータは、１つ以上の共通ＳＲＳパラメータと、１つ以上の専用ＳＲＳパラメータとを備えている、項目１１に記載の無線デバイス。
（項目１８）
前記命令は、前記１つ以上のプロセッサによって実行されると、前記第１のサブフレームにおける１つ以上のトランスポートブロックを伝送することを前記無線デバイスにさらに行わせる、項目１１に記載の無線デバイス。
（項目１９）
前記構成パラメータは、ＳＲＳ帯域幅を備えている、項目１１に記載の無線デバイス。
（項目２０）
前記ＤＣＩは、少なくとも部分的に前記ＳＲＳのための伝送電力を計算するために用いられる伝送電力制御（ＴＰＣ）コマンドをさらに備えている、項目１１に記載の無線デバイス。
（項目２１）
方法であって、前記方法は、
基地局によって、認可支援アクセス（ＬＡＡ）セルの１つ以上の連続サブフレームの数でアップリンクリソースを示すダウンリンク制御情報（ＤＣＩ）を伝送することであって、前記ＤＣＩは、
前記１つ以上の連続サブフレームの前記数を示す第１のフィールドと、
サウンディング参照信号（ＳＲＳ）の伝送のための前記１つ以上の連続サブフレームの中の第１のサブフレームの位置を示す第２のフィールドと
を備えている、ことと、
前記基地局によって、前記第１のサブフレームにおいて、前記ＬＡＡセル上の前記ＳＲＳを受信することと
を含む、方法。
（項目２２）
前記ＳＲＳは、前記第１のサブフレームの２つ以上のシンボルの中で受信される、項目２１に記載の方法。
（項目２３）
認可支援アクセス（ＬＡＡ）セルのための構成パラメータを備えている１つ以上の無線リソース制御（ＲＲＣ）メッセージを伝送することをさらに含み、前記構成パラメータは、１つ以上のＳＲＳパラメータを備え、前記１つ以上のＳＲＳパラメータは、非周期的ＳＲＳ構成パラメータを備えている、項目２１に記載の方法。
（項目２４）
前記１つ以上のＳＲＳパラメータは、１つ以上の共通ＳＲＳパラメータと、１つ以上の専用ＳＲＳパラメータとを備えている、項目２３に記載の方法。
（項目２５）
前記ＳＲＳは、前記第１のサブフレームの最後のシンボルの中で受信される、項目２１に記載の方法。
（項目２６）
前記第２のフィールドは、前記１つ以上の連続サブフレームのうちの開始サブフレームからのオフセットを示す、項目２１に記載の方法。
（項目２７）
前記ＤＣＩは、前記１つ以上の連続サブフレームにおけるＳＲＳ伝送がトリガされるかどうかを示す、項目２１に記載の方法。
（項目２８）
前記第１のサブフレームにおいて１つ以上のトランスポートブロックを受信することをさらに含む、項目２１に記載の方法。
（項目２９）
前記構成パラメータは、ＳＲＳ帯域幅を備えている、項目２１に記載の方法。
（項目３０）
前記ＤＣＩは、少なくとも部分的に前記ＳＲＳのための伝送電力を計算するために用いられる伝送電力制御（ＴＰＣ）コマンドをさらに備えている、項目２１に記載の方法。
（項目３１）
基地局であって、前記基地局は、
１つ以上のプロセッサと、
命令を記憶しているメモリと
を備え、
前記命令は、前記１つ以上のプロセッサによって実行されると、
認可支援アクセス（ＬＡＡ）セルの１つ以上の連続サブフレームの数でアップリンクリソースを示すダウンリンク制御情報（ＤＣＩ）を伝送することであって、前記ＤＣＩは、
前記１つ以上の連続サブフレームの前記数を示す第１のフィールドと、
サウンディング参照信号（ＳＲＳ）の伝送のための前記１つ以上の連続サブフレームの中の第１のサブフレームの位置を示す第２のフィールドと
を備えている、ことと、
前記第１のサブフレームにおいて、前記ＬＡＡセル上の前記ＳＲＳを受信することと
を前記基地局に行わせる、基地局。
（項目３２）
前記ＳＲＳは、前記第１のサブフレームの２つ以上のシンボルの中で受信される、項目３１に記載の基地局。
（項目３３）
前記命令は、前記１つ以上のプロセッサによって実行されると、認可支援アクセス（ＬＡＡ）セルのための構成パラメータを備えている１つ以上の無線リソース制御（ＲＲＣ）メッセージを伝送することを前記基地局にさらに行わせ、前記構成パラメータは、１つ以上のＳＲＳパラメータを備え、前記１つ以上のＳＲＳパラメータは、非周期的ＳＲＳ構成パラメータを備えている、項目３１に記載の基地局。
（項目３４）
前記１つ以上のＳＲＳパラメータは、１つ以上の共通ＳＲＳパラメータと、１つ以上の専用ＳＲＳパラメータとを備えている、項目３３に記載の基地局。
（項目３５）
前記ＳＲＳは、前記第１のサブフレームの最後のシンボルの中で受信される、項目３１に記載の基地局。
（項目３６）
前記第２のフィールドは、前記１つ以上の連続サブフレームのうちの開始サブフレームからのオフセットを示す、項目３１に記載の基地局。
（項目３７）
前記ＤＣＩは、前記１つ以上の連続サブフレームにおけるＳＲＳ伝送がトリガされるかどうかを示す、項目３１に記載の基地局。
（項目３８）
前記命令は、前記１つ以上のプロセッサによって実行されると、前記第１のサブフレームにおいて１つ以上のトランスポートブロックを受信することを前記基地局にさらに行わせる、項目３１に記載の基地局。
（項目３９）
前記構成パラメータは、ＳＲＳ帯域幅を備えている、項目３１に記載の基地局。
（項目４０）
前記ＤＣＩは、少なくとも部分的に前記ＳＲＳのための伝送電力を計算するために用いられる伝送電力制御（ＴＰＣ）コマンドをさらに備えている、項目３１に記載の基地局。
（項目４１）
方法であって、前記方法は、
１つ以上のサブフレームにおけるアップリンクリソースを示すダウンリンク制御情報（ＤＣＩ）を受信することであって、前記ＤＣＩは、サウンディング参照信号（ＳＲＳ）の伝送のための前記１つ以上のサブフレームにおけるサブフレームの位置を示すフィールドを備えている、ことと
前記サブフレーム内で前記ＳＲＳを伝送することと
を含む、方法。
（項目４２）
前記ＤＣＩは、サウンディング参照信号（ＳＲＳ）伝送をトリガする、項目４１に記載の方法。
（項目４３）
アップリンクリソースは、リソースブロックを単位とする、項目４１に記載の方法。
（項目４４）
前記ＤＣＩは、前記１つ以上のサブフレームの数を示す第２のフィールドを備えている、項目４１に記載の方法。
（項目４５）
前記ＳＲＳは、前記サブフレームの２つ以上のシンボルの中で伝送される、項目４１に記載の方法。
（項目４６）
前記ＳＲＳは、前記サブフレームの最後のシンボルの中で伝送される、項目４１に記載の方法。
（項目４７）
前記フィールドは、前記１つ以上の連続サブフレームのうちの開始サブフレームからのオフセットを示す、項目４１に記載の方法。
（項目４８）
前記ＤＣＩは、前記１つ以上の連続サブフレームにおけるＳＲＳ伝送がトリガされるかどうかを示す、項目４１に記載の方法。
（項目４９）
前記サブフレームにおいて１つ以上のトランスポートブロックを伝送することをさらに含む、項目４１に記載の方法。
（項目５０）
前記構成パラメータは、ＳＲＳ帯域幅を備えている、項目４１に記載の方法。
（項目５１）
方法であって、前記方法は、
１つ以上のサブフレームにおけるアップリンクリソースを示すダウンリンク制御情報（ＤＣＩ）を伝送することであって、前記ＤＣＩは、サウンディング参照信号（ＳＲＳ）の伝送のための前記１つ以上のサブフレームにおけるサブフレームの位置を示すフィールドを備えている、ことと、
前記サブフレーム内で前記ＳＲＳを受信することと
を含む、方法。
（項目５２）
前記ＤＣＩは、サウンディング参照信号（ＳＲＳ）伝送をトリガする、項目５１に記載の方法。
（項目５３）
アップリンクリソースは、リソースブロックを単位とする、項目２２に記載の方法。
（項目５４）
前記ＤＣＩは、前記１つ以上のサブフレームの数を示す第２のフィールドを備えている、項目２２に記載の方法。
（項目５５）
前記ＳＲＳは、前記サブフレームの２つ以上のシンボルの中で伝送される、項目１に記載の方法。
（項目５６）
前記ＳＲＳは、前記サブフレームの最後のシンボルの中で伝送される、項目１に記載の方法。
（項目５７）
前記フィールドは、前記１つ以上の連続サブフレームのうちの開始サブフレームからのオフセットを示す、項目１に記載の方法。
（項目５８）
前記ＤＣＩは、前記１つ以上の連続サブフレームにおけるＳＲＳ伝送がトリガされるかどうかを示す、項目１に記載の方法。
（項目５９）
前記サブフレームにおいて１つ以上のトランスポートブロックを受信することをさらに含む、項目１に記載の方法。
（項目６０）
前記ＳＲＳは、前記第１のサブフレームの最後のシンボルの中で受信される、項目１に記載の方法。
（項目６１）
方法であって、前記方法は、
無線デバイスによって、認可支援アクセス（ＬＡＡ）セルのための構成パラメータを備えている１つ以上の無線リソース制御（ＲＲＣ）メッセージを受信することであって、前記構成パラメータは、非周期的サウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、ＳＲＳ伝送をトリガし、前記ＤＣＩは、
前記１つ以上の連続サブフレームの前記数と、
トーク前リッスン（ＬＢＴ）構成と
を備えている、ことと、
少なくとも部分的に前記非周期的ＳＲＳサブフレームパラメータに基づいて、前記１つ以上の連続サブフレームの中の第１のサブフレームの位置を決定することと、
前記無線デバイスが、前記ＬＢＴ構成に基づくＬＢＴプロシージャに従って、前記第１のサブフレームにおいて伝送することを可能にされる場合、前記第１のサブフレームにおいて、前記ＬＡＡセル上で前記ＳＲＳを伝送することと
を含む、方法。
（項目６２）
前記ＳＲＳは、前記第１のサブフレームの２つ以上のシンボルの中で伝送される、項目６１に記載の方法。
（項目６３）
前記ＤＣＩは、前記ＳＲＳ伝送がトリガされるかどうかを示すフィールドをさらに備えている、項目６１に記載の方法。
（項目６４）
前記ＳＲＳは、前記第１のサブフレームの最後のシンボルの中で伝送される、項目６１に記載の方法。
（項目６５）
前記非周期的ＳＲＳサブフレームパラメータは、前記１つ以上の連続サブフレームのうちの開始サブフレームからのオフセットを示す、項目６１に記載の方法。
（項目６６）
前記ＬＢＴ構成は、前記ＬＢＴプロシージャのために用いられるシンボル時間間隔を示す、項目６１に記載の方法。
（項目６７）
前記構成パラメータは、１つ以上の共通ＳＲＳパラメータと、１つ以上の専用ＳＲＳパラメータとを備えている、項目６１に記載の方法。
（項目６８）
前記第１のサブフレームにおいて１つ以上のトランスポートブロックを伝送することをさらに含む、項目６１に記載の方法。
（項目６９）
前記構成パラメータは、ＳＲＳ帯域幅を備えている、項目６１に記載の方法。
（項目７０）
前記ＤＣＩは、少なくとも部分的に前記ＳＲＳのための伝送電力を計算するために用いられる伝送電力制御（ＴＰＣ）コマンドをさらに備えている、項目６１に記載の方法。
（項目７１）
無線デバイスであって、前記無線デバイスは、
１つ以上のプロセッサと、
命令を記憶しているメモリと
を備え、
前記命令は、前記１つ以上のプロセッサによって実行されると、
認可支援アクセス（ＬＡＡ）セルのための構成パラメータを備えている１つ以上の無線リソース制御（ＲＲＣ）メッセージを受信することであって、前記構成パラメータは、非周期的サウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を受信することであって、前記ＤＣＩは、ＳＲＳ伝送をトリガし、前記ＤＣＩは、
前記１つ以上の連続サブフレームの前記数と、
トーク前リッスン（ＬＢＴ）構成と
を備えている、ことと、
少なくとも部分的に前記非周期的ＳＲＳサブフレームパラメータに基づいて、前記１つ以上の連続サブフレームの中の第１のサブフレームの位置を決定することと、
前記無線デバイスが、前記ＬＢＴ構成に基づくＬＢＴプロシージャに従って、前記第１のサブフレームにおいて伝送することを可能にされる場合、前記第１のサブフレームにおいて、前記ＬＡＡセル上で前記ＳＲＳを伝送することと
を前記無線デバイスにおこなわせる、無線デバイス。
（項目７２）
前記ＳＲＳは、前記第１のサブフレームの２つ以上のシンボルの中で伝送される、項目７１に記載の無線デバイス。
（項目７３）
前記ＤＣＩは、前記ＳＲＳ伝送がトリガされるかどうかを示すフィールドをさらに備えている、項目７１に記載の無線デバイス。
（項目７４）
前記ＳＲＳは、前記第１のサブフレームの最後のシンボルの中で伝送される、項目７１に記載の無線デバイス。
（項目７５）
前記非周期的ＳＲＳサブフレームパラメータは、前記１つ以上の連続サブフレームのうちの開始サブフレームからのオフセットを示す、項目７１に記載の無線デバイス。
（項目７６）
前記構成パラメータは、１つ以上の共通ＳＲＳパラメータと、１つ以上の専用ＳＲＳパラメータとを備えている、項目７１に記載の無線デバイス。
（項目７７）
前記構成パラメータは、ＳＲＳ帯域幅を備えている、項目７１に記載の無線デバイス。
（項目７８）
前記ＤＣＩは、少なくとも部分的に前記ＳＲＳのための伝送電力を計算するために用いられる伝送電力制御（ＴＰＣ）コマンドをさらに備えている、項目７１に記載の無線デバイス。
（項目７９）
方法であって、前記方法は、
基地局によって、認可支援アクセス（ＬＡＡ）セルのための構成パラメータを備えている１つ以上の無線リソース制御（ＲＲＣ）メッセージを伝送することであって、前記構成パラメータは、非周期的サウンディング参照信号（ＳＲＳ）パラメータを備えている、ことと、
前記ＬＡＡセルの１つ以上の連続サブフレームの数でアップリンクリソースを示すダウンリンク制御情報（ＤＣＩ）を伝送することであって、前記ＤＣＩは、ＳＲＳ伝送をトリガし、前記ＤＣＩは、前記１つ以上の連続サブフレームの数を示すフィールドを備えている、ことと、
前記第１のサブフレームにおいて、前記ＬＡＡセル上の前記ＳＲＳを受信することであって、前記１つ以上のサブフレームにおける第１のサブフレームの位置は、少なくとも前記非周期的ＳＲＳサブフレームパラメータの値に依存する、ことと
を含む、方法。
（項目８０）
前記ＤＣＩは、少なくとも部分的に前記ＳＲＳのための伝送電力を計算するために用いられる伝送電力制御（ＴＰＣ）コマンドをさらに備えている、項目７９に記載の方法。
（項目８１）
方法であって、前記方法は、
非周期的サウンディング参照信号（ＳＲＳ）サブフレームパラメータを備えている無線リソース制御（ＲＲＣ）メッセージを受信することと、
ＳＲＳ伝送をトリガするダウンリンク制御情報（ＤＣＩ）を受信することであって、前記ＤＣＩは、１つ以上のサブフレームにおけるアップリンクリソースを示す、ことと、
少なくとも部分的に前記非周期的ＳＲＳサブフレームパラメータに基づいて、前記１つ以上のサブフレームにおけるあるサブフレームの位置を決定することと、
そのサブフレーム内で前記ＳＲＳを伝送することと
を含む、方法。
（項目８２）
前記ＲＲＣメッセージは、認可支援アクセス（ＬＡＡ）セルのための構成パラメータを備えている、項目８１に記載の方法。
（項目８３）
前記ＤＣＩは、前記１つ以上のサブフレームの数を示すフィールドを備えている、項目８１に記載の方法。
（項目８３）
前記ＳＲＳは、前記第１のサブフレームの２つ以上のシンボルの中で伝送される、項目８１に記載の方法。
（項目８４）
前記ＳＲＳは、前記第１のサブフレームの最後のシンボルの中で伝送される、項目８１に記載の方法。
（項目８５）
前記非周期的ＳＲＳサブフレームパラメータは、前記１つ以上の連続サブフレームのうちの開始サブフレームからのオフセットを示す、項目８１に記載の方法。
（項目８６）
前記サブフレームにおいて１つ以上のトランスポートブロックを伝送することをさらに含む、項目８１に記載の方法。
（項目８７）
前記構成パラメータは、ＳＲＳ帯域幅を備えている、項目８１に記載の方法。
（項目８８）
方法であって、前記方法は、
非周期的サウンディング参照信号（ＳＲＳ）サブフレームパラメータを備えている無線リソース制御（ＲＲＣ）メッセージを伝送することと、
ＳＲＳ伝送をトリガするダウンリンク制御情報（ＤＣＩ）を伝送することであって、前記ＤＣＩは、１つ以上のサブフレームにおけるアップリンクリソースを示す、ことと、
少なくとも部分的に前記非周期的ＳＲＳサブフレームパラメータに基づいて、前記１つ以上のサブフレームにおけるあるサブフレームの位置を決定することと、
そのサブフレーム内で前記ＳＲＳを受信することと
を含む、方法。
（項目８９）
前記ＲＲＣメッセージは、認可支援アクセス（ＬＡＡ）セルのための構成パラメータを備えている、項目８８に記載の方法。
（項目９０）
前記ＤＣＩは、前記１つ以上のサブフレームの数を示すフィールドを備えている、項目８８に記載の方法。
（項目９１）
前記ＳＲＳは、前記第１のサブフレームの２つ以上のシンボルの中で伝送される、項目８８に記載の方法。
（項目９２）
前記ＳＲＳは、前記第１のサブフレームの最後のシンボルの中で伝送される、項目８８に記載の方法。
（項目９３）
前記非周期的ＳＲＳサブフレームパラメータは、前記１つ以上の連続サブフレームのうちの開始サブフレームからのオフセットを示す、項目８８に記載の方法。
（項目９４）
前記サブフレームにおいて１つ以上のトランスポートブロックを伝送することをさらに含む、項目８８に記載の方法。
（項目９５）
前記構成パラメータは、ＳＲＳ帯域幅を備えている、項目８８に記載の方法。
（項目９６）
方法であって、前記方法は、
非周期的サウンディング参照信号（ＳＲＳ）サブフレームパラメータを備えている無線リソース制御（ＲＲＣ）メッセージを受信することと、
ＳＲＳ伝送をトリガするダウンリンク制御情報（ＤＣＩ）を受信することであって、前記ＤＣＩは、１つ以上のサブフレームにおけるアップリンクリソースを示す、ことと、
サブフレーム内で前記ＳＲＳを伝送することであって、前記１つ以上のサブフレームにおける前記サブフレームの位置は、少なくとも部分的に前記非周期的ＳＲＳサブフレームパラメータに基づく、ことと
を含む、方法。
（項目９７）
方法であって、前記方法は、
非周期的サウンディング参照信号（ＳＲＳ）サブフレームパラメータを備えている無線リソース制御（ＲＲＣ）メッセージを伝送することと、
ＳＲＳ伝送をトリガするダウンリンク制御情報（ＤＣＩ）を伝送することであって、前記ＤＣＩは、１つ以上のサブフレームにおけるアップリンクリソースを示す、ことと、
サブフレーム内で前記ＳＲＳを受信し、少なくとも部分的に前記非周期的ＳＲＳサブフレームパラメータに基づいて、前記１つ以上のサブフレームにおける前記サブフレームの位置を決定することと
を含む、方法。
【国際調査報告】
2019515528.tif 000026
2019515528.tif 000027
2019515528.tif 000028